(57)【要約】コイン収納枚数を切り替えることができるとともに、返却ボタンを使用せずにコインを返却させることができる、構造が簡単で安価なコイン選別装置を提供する。  コイン選別装置１の装置本体２は、上部にコイン投入口３５、下部にコイン排出口３６がそれぞれ形成され、内部にハンドル２５０によって操作される回転体９０が回転可能に設けられ、回転体９０には、コイン投入口３５から投入されたコインＣを複数枚重ねて収納可能なコイン収納部１３５が形成され、コイン収納部１３５のコイン収納枚数を切り替える切替部材１５０が回動可能に設けられる。  装置本体２には、コイン収納部１３５とコイン通路１４３を仕切る仕切部材１７５が設けられ、仕切部材１７５は、回転体９０の一方向への回転時には、コイン収納部１３５内のコインＣがコイン通路１４３に落下するのを阻止するとともに、他方向への回転時には阻止せず、コイン排出口３６からコインＣが排出される【特許請求の範囲】
【請求項１】
装置本体は、上部にコイン投入口が形成され、下部にコイン排出口が形成され、内部にハンドルによって操作される回転体が回転可能に設けられており、
回転体には、コイン投入口から投入されたコインを複数枚重ねて収納可能なコイン収納部が形成され、
装置本体には、コインの枚数に対応した複数の係止部材が設けられ、
複数の係止部材は、それぞれ弾性部材によって係止方向に付勢されており、正規コインがコイン収納部に適正枚数収納されていない場合又は正規コインより小さい外径の不正コインがコイン収納部に収納されている場合、回転体の回転時に回転体の係止縁を係止して回転体の回転を阻止し、
複数の係止部材は、正規コインがコイン収納部に適正枚数収納されている場合、回転体の回転時に各正規コインの外周縁が摺接して反係止方向に移動させられ、回転体の係止縁を係止することなく回転体の回転を可能とし、コイン収納部の複数のコインをコイン排出口から排出できるように構成されたコイン選別装置であって、
前記回転体には、前記コイン収納部のコイン収納枚数を切り替える切替部材が回動可能に設けられ、
前記コイン収納部は、回転体に形成された第１のコイン収納部と、切替部材に形成された第２のコイン収納部とからなり、
切替部材は、回転体に対して一方向に回動すると、第２のコイン収納部が回転体の第１のコイン収納部と重なって、第２のコイン収納部と第１のコイン収納部でコイン収納部を構成し、回転体に対して他方向に回動すると、第２のコイン収納部が回転体の第１のコイン収納部から外れて、第１のコイン収納部でコイン収納部を構成するようになっていることを特徴とするコイン選別装置。
【請求項２】
前記切替部材には、第２のコイン収納部が回転体の第１のコイン収納部から外れて、回転体の第１のコイン収納部でコイン収納部を構成している時に、回転体の回転時に係止部材と摺接して係止部材を反係止方向に移動させ、回転体の係止縁に係止させないようにするガイド縁が形成されていることを特徴とする請求項１記載のコイン選別装置。
【請求項３】
前記回転体のコイン収納部には、係合方向に付勢された係合片が設けられ、
係合片は、正規コインがコイン収納部に適正枚数収納されていない場合又は正規コインと厚みの異なる不正コインがコイン収納部に収納されている場合、回転体の回転時に装置本体の一側と係合して回転体の回転を阻止し、正規コインがコイン収納部に適正枚数収納されている場合、反係合方向に移動して回転体の回転時に装置本体の一側と係合せず回転体の回転を阻止しないようになっていることを特徴とする請求項１又は２記載のコイン選別装置。
【請求項４】
前記回転体及び切替部材の一方には、係合凸部又は係合凹部が形成され、前記回転体及び切替部材の他方には、第１と第２の係合凹部又は第１と第２の係合凸部が形成され、
切替部材は、これを回転体に対して一方向に回動させて、第２のコイン収納部を回転体の第１のコイン収納部に重ねて、第２のコイン収納部と第１のコイン収納部でコイン収納部を構成した時に、係合凸部又は係合凹部が第１の係合凹部又は第１の係合凸部と係合して位置決めされ、これを回転体に対して他方向に回動させて、第２のコイン収納部を回転体の第１のコイン収納部から外して、第１のコイン収納部でコイン収納部を構成した時に、係合凸部又は係合凹部が第２の係合凹部又は第２の係合凸部と係合して位置決めされるようになっていることを特徴とする請求項１、２又は３記載のコイン選別装置。
【請求項５】
装置本体は、上部にコイン投入口が形成され、下部にコイン排出口が形成され、内部にハンドルによって操作される回転体が回転可能に設けられており、
回転体には、コイン投入口から投入されたコインを複数枚重ねて収納可能なコイン収納部が形成され、
装置本体には、コインの枚数に対応した複数の係止部材が設けられ、
複数の係止部材は、それぞれ弾性部材によって係止方向に付勢されており、正規コインがコイン収納部に適正枚数収納されていない場合又は正規コインより小さい外径の不正コインがコイン収納部に収納されている場合、回転体の回転時に回転体の係止縁を係止して回転体の回転を阻止し、
複数の係止部材は、正規コインがコイン収納部に適正枚数収納されている場合、回転体の回転時に各正規コインの外周縁が摺接して反係止方向に移動させられ、回転体の係止縁を係止することなく回転体の回転を可能とし、コイン収納部の複数のコインをコイン排出口から排出できるように構成されたコイン選別装置であって、
前記回転体のコイン収納部には、コイン収納枚数を変更する変更部材を取り付ける取付部が形成され、
当該変更部材は、装置本体の一側に着脱可能に取り付けられていることを特徴とするコイン選別装置。
【請求項６】
装置本体は、上部にコイン投入口が形成され、下部にコイン排出口及びコイン返却口が形成され、内部にハンドルによって操作される回転体が回転可能に設けられており、
回転体は、コイン収納部を有し、コイン投入口から投入されたコインがコイン収納部に収納される初期位置で待機しており、
装置本体には、第１の係止部材が第１の弾性部材によって係止方向に付勢されて設けられ、
第１の係止部材は、コインがコイン収納部に収納されていない場合又は正規コインより小さい外径の不正コインがコイン収納部に収納されている場合、回転体の初期位置から一方向への回転時に回転体の第１の係止縁を係止して回転体の回転を阻止し、
第１の係止部材は、正規コインがコイン収納部に収納されている場合、回転体の初期位置から一方向への回転時に正規コインの外周縁が摺接して反係止方向に移動させられ、回転体の第１の係止縁を係止することなく回転体の一方向への回転を可能とし、コイン収納部内のコインをコイン排出口から排出できるように構成されたコイン選別装置であって、
回転体には、前記コイン収納部と連通し、コイン返却口にコインを落下させるコイン通路が形成され、
装置本体には、コイン収納部とコイン通路の間を仕切る仕切部材が設けられ、
仕切部材は、回転体の初期位置から一方向への回転時に、コイン収納部とコイン通路の間を仕切り、コイン収納部内のコインがコイン通路に落下するのを阻止し、回転体の初期位置から他方向への回転時に、コイン収納部とコイン通路の間を仕切らなくなり、コイン収納部内のコインがコイン通路に落下してコイン返却口から返却されるように形成されていることを特徴とするコイン選別装置。
【請求項７】
装置本体は、上部にコイン投入口が形成され、下部にコイン排出口及びコイン返却口が形成され、内部にハンドルによって操作される回転体が回転可能に設けられており、
回転体は、コイン収納部を有し、コイン投入口から投入されたコインがコイン収納部に収納される初期位置で待機しており、
装置本体には、第１の係止部材が第１の弾性部材によって係止方向に付勢されて設けられ、
第１の係止部材は、コインがコイン収納部に収納されていない場合又は正規コインより小さい外径の不正コインがコイン収納部に収納されている場合、回転体の初期位置から一方向への回転時に回転体の第１の係止縁を係止して回転体の回転を阻止し、
第１の係止部材は、正規コインがコイン収納部に収納されている場合、回転体の初期位置から一方向への回転時に正規コインの外周縁が摺接して反係止方向に移動させられ、回転体の第１の係止縁を係止することなく回転体の一方向への回転を可能とし、コイン収納部内のコインをコイン排出口から排出できるように構成されたコイン選別装置であって、
回転体には、前記コイン収納部と連通し、コイン返却口にコインを落下させるコイン通路が形成され、さらに、コイン収納部とコイン通路の間を仕切る仕切部材が設けられ、
仕切部材は、コインの落下を阻止する仕切位置と、コインの落下を阻止しない非仕切位置に移動可能であって、第４の弾性部材によって仕切位置側に付勢されており、
装置本体には、回転体の初期位置から一方向への回転時に、仕切位置の仕切部材と係合せず、コイン収納部内のコインがコイン通路に落下するのを阻止し、回転体の初期位置から他方向への回転時に、仕切位置の仕切部材と係合して仕切部材を第４の弾性部材の弾性に抗して非仕切位置に移動させ、コイン収納部内のコインをコイン通路に落下させ、コイン返却口からコインを返却させる係合部材が設けられていることを特徴とするコイン選別装置。
【請求項８】
装置本体は、上部にコイン投入口が形成され、下部にコイン排出口及びコイン返却口が形成され、内部にハンドルによって操作される回転体が回転可能に設けられており、
回転体は、コイン収納部を有し、コイン投入口から投入されたコインがコイン収納部に収納される初期位置で待機しており、
装置本体には、第１の係止部材が第１の弾性部材によって係止方向に付勢されて設けられ、
第１の係止部材は、コインがコイン収納部に収納されていない場合又は正規コインより小さい外径の不正コインがコイン収納部に収納されている場合、回転体の初期位置から一方向への回転時に回転体の第１の係止縁を係止して回転体の回転を阻止し、
第１の係止部材は、正規コインがコイン収納部に収納されている場合、回転体の初期位置から一方向への回転時に正規コインの外周縁が摺接して反係止方向に移動させられ、回転体の第１の係止縁を係止することなく回転体の一方向への回転を可能とし、コイン収納部内のコインをコイン排出口から排出できるように構成されたコイン選別装置であって、
回転体には、前記コイン収納部と連通し、コイン返却口にコインを落下させるコイン通路が形成され、さらに、コイン収納部とコイン通路の間に一対のコインストッパーが設けられ、
一対のコインストッパーは、コインの落下を阻止する閉じる位置と、コインの落下を阻止しない開く位置に移動可能であって、第４の弾性部材によって閉じる方向に付勢されており、
装置本体には、回転体の初期位置から一方向への回転時に、閉じた状態の一対のコインストッパーと係合せず、コイン収納部内のコインがコイン通路に落下するのを阻止し、回転体の初期位置から他方向への回転時に、閉じた状態の一対のコインストッパーと係合して一対のコインストッパーを第４の弾性部材の弾性に抗して開く位置に移動させ、コイン収納部内のコインをコイン通路に落下させ、コイン返却口からコインを返却させる係合部材が設けられていることを特徴とするコイン選別装置。
【請求項９】
装置本体には、第２の係止部材が第２の弾性部材によって係止方向に付勢されて設けられ、
第２の係止部材は、回転体を初期位置から他方向へ回転させてコイン収納部内のコインをコイン通路に落下させた後に、回転体の第２の係止縁を係止して回転体の他方向への回転を阻止するように形成されていることを特徴とする請求項６、７又は８記載のコイン選別装置。
【請求項１０】
装置本体には、前記回転体を初期位置で位置決めする位置決め手段が設けられ、
位置決め手段が、回転体又は回転体の略中心に設けられた回転軸に形成された被係合部に係合する係合部材と、係合部材を係合方向に付勢する第３の弾性部材とからなることを特徴とする請求項６乃至９のいずれか１項に記載のコイン選別装置。
【請求項１１】
上部にコイン投入口が形成され、下部にコイン排出口およびコイン返却口が形成された装置本体と、
前記装置本体内に回転可能に設けられた回転体と、
前記装置本体に設けられ前記回転体内に突出した仕切部材と、
前記回転体の外側縁に設けられた開口と、
前記回転体に設けられ、一端は前記開口と連通するコイン収納部であって、他端が前記回転体の回転に応じて前記仕切部材と対向する状態と対向しない状態を取ることが可能な前記コイン収納部と、
前記回転体に設けられ、前記コイン収納部の他端と一端にて連通し、他端にて前記回転体の外部に連通するコイン通路であって、前記コイン収納部と鈍角となるように形成された前記コイン通路と、を有し、
前記回転体が前記装置本体のコイン投入口と前記開口が対向する初期位置にあるとき、および、当該初期位置から一方向に回転されるときには、前記仕切部材が前記コイン収納部の他端と対向する状態となることで、前記コイン投入口から投入されたコインは前記コイン通路に移動することが阻止されることにより、前記コイン収納部に保持され、
前記回転体が初期位置から一方向に９０度以上回転されたときには、前記コイン収納部に保持されたコインは自重によって前記開口を介して前記コイン排出口より排出され、
前記回転体が初期位置から他方向に回転されるときには、前記コイン収納部の他端が前記仕切部材と対向しない状態となることで、前記コイン収納部に保持されたコインは前記コイン通路に移動可能とされ、自重により前記コイン通路を介して前記コイン返却口より排出されることを特徴とするコイン選別装置。
【請求項１２】
上部にコイン投入口が形成され、下部にコイン排出口およびコイン返却口が形成された装置本体と、
前記装置本体内に回転可能に設けられた回転体と、
前記回転体の外側縁に設けられた開口と、
前記回転体に設けられ、一端が前記開口と連通するコイン収納部と、
前記回転体に設けられ、前記コイン収納部の他端と一端にて連通し、他端にて前記回転体の外部に連通するコイン通路と、
前記回転体に設けられた、コイン収納部とコイン通路の間を仕切る仕切部材であって、コインの落下を阻止する仕切位置と、コインの落下を阻止しない非仕切位置に移動可能であり、第４の弾性部材によって仕切位置側に付勢された仕切部材と、
前記装置本体に設けられ、回転体の初期位置から一方向への回転時に、仕切位置の仕切部材と係合せず、コイン収納部内のコインがコイン通路に落下するのを阻止し、回転体の初期位置から他方向への回転時に、仕切位置の仕切部材と係合して仕切部材を第４の弾性部材の弾性に抗して非仕切位置に移動させ、コイン収納部内のコインをコイン通路に落下させ、コイン返却口からコインを返却させる係合部材と、を有し、
前記回転体が前記装置本体のコイン投入口と前記開口が対向する初期位置にあるとき、および、当該初期位置から一方向に回転されるときには、前記仕切部材が前記係合部材と係合せずに仕切位置にあることで、前記コイン投入口から投入されたコインは前記コイン通路に移動することが阻止されることにより、前記コイン収納部に保持され、
前記回転体が初期位置から一方向に９０度以上回転されたときには、前記コイン収納部に保持されたコインは自重によって前記開口を介して前記コイン排出口より排出され、
前記回転体が初期位置から他方向に回転されるときには、前記仕切部材が前記係合部材と係合して非仕切位置に移動することで、前記コイン収納部に保持されたコインは前記コイン通路に移動可能とされ、自重により前記コイン通路を介して前記コイン返却口より返却されることを特徴とするコイン選別装置。
【請求項１３】
上部にコイン投入口が形成され、下部にコイン排出口およびコイン返却口が形成された装置本体と、
前記装置本体内に回転可能に設けられた回転体と、
前記回転体の外側縁に設けられた開口と、
前記回転体に設けられ、一端が前記開口と連通するコイン収納部と、
前記回転体に設けられ、前記コイン収納部の他端と一端にて連通し、他端にて前記回転体の外部に連通するコイン通路と、
前記回転体に設けられた、コイン収納部とコイン通路の間を閉じる一対のコインストッパーであって、コインの落下を阻止する閉じる位置と、コインの落下を阻止しない開く位置に移動可能であり、第４の弾性部材によって閉じる方向に付勢された一対のコインストッパーと、
前記装置本体に設けられ、回転体の初期位置から一方向への回転時に、閉じた状態の一対のコインストッパーと係合せず、コイン収納部内のコインがコイン通路に落下するのを阻止し、回転体の初期位置から他方向への回転時に、閉じた状態の一対のコインストッパーと係合して一対のコインストッパーを第４の弾性部材の弾性に抗して開く位置に移動させ、コイン収納部内のコインをコイン通路に落下させ、コイン返却口からコインを返却させる係合部材と、を有し、
前記回転体が前記装置本体のコイン投入口と前記開口が対向する初期位置にあるとき、および、当該初期位置から一方向に回転されるときには、前記一対のコインストッパーが前記係合部材と係合せずに閉じる位置にあることで、前記コイン投入口から投入されたコインは前記コイン通路に移動することが阻止されることにより、前記コイン収納部に保持され、
前記回転体が初期位置から一方向に９０度以上回転されたときには、前記コイン収納部に保持されたコインは自重によって前記開口を介して前記コイン排出口より排出され、
前記回転体が初期位置から他方向に回転されるときには、前記一対のコインストッパーが前記係合部材と係合して開く位置に移動することで、前記コイン収納部に保持されたコインは前記コイン通路に移動可能とされ、自重により前記コイン通路を介して前記コイン返却口より返却されることを特徴とするコイン選別装置。
【発明の詳細な説明】
【技術分野】  本願発明は、正規コインが投入口から投入されると回転体が回転可能となってハンドルを操作することができ、不正コインが投入された場合又はコインが投入されていない場合は回転体が回動不能となってハンドルを操作することができないコイン選別装置に関する。
【背景技術】  従来、コイン選別装置は、カプセル払い出し機等の物品取出機に組み込まれて使用され、コインを投入しでハンドルを回転させると、装置本体内の回転体が回転し、その回転体と連動して回転する物品取出機の回転盤がカプセル等の物品を取出口に移送するようになっている。
従来のコイン選別装置は、例えば実開平６−３０８７２号公報に開示されているように、上部にコイン投入口が形成され、下部にコイン排出口が形成され、内部にハンドルによって操作される回転体が回転可能に設けられている。回転体には、コイン投入口から投入されたコインを収納可能なコイン収納部が形成されている。装置本体には、係止部材が設けられている。係止部材は、弾性部材によって係止方向に付勢されており、正規コインがコイン収納部に収納されていない場合又は正規コインより小さい外径の不正コインがコイン収納部に収納されている場合、回転体の回転時に回転体の係止縁を係止して回転体の回転を阻止し、正規コインがコイン収納部に収納されている場合、回転体の回転時に正規コインの外周縁が摺接して反係止方向に移動させられ、回転体の係止縁を係止することなく回転体の回転を可能とし、コイン収納部のコインをコイン排出口から排出できるように構成されている。また、従来のコイン選別装置は、返却ボタンを押すことによって、コイン収納部に収納されたコインを返却させることができるようになっていた。
従来のコイン選別装置は、コイン収納枚数を切り替えることができないため、これが組み込まれるカプセル払い出し機等の物品取出機の投入金額を変更することが出来ず、当該物品取出装置に収容される物品はいつも同じ価格であるという問題点があった。また、従来のコイン選別装置は、コインを返却させるのに、返却ボタンを設けていたので、部品点数が多くなり、構造が複雑で、安価に製造することができないという問題点があった。
本願発明は、上記問題点に鑑み、案出したものであって、コイン収納枚数を切り替えることができるコイン選別装置を提供すること第１の目的とする。また、返却ボタンを使用しないで、コインを返却させることができる、構造が簡単で安価なコイン選別装置を提供すること第２の目的とする。
【発明の開示】
本願請求項１記載のコイン選別装置は、上記第１の目的を達成するため、装置本体は、上部にコイン投入口が形成され、下部にコイン排出口が形成され、内部にハンドルによって操作される回転体が回転可能に設けられており、回転体には、コイン投入口から投入されたコインを複数枚重ねて収納可能なコイン収納部が形成され、装置本体には、コインの枚数に対応した複数の係止部材が設けられ、複数の係止部材は、それぞれ弾性部材によって係止方向に付勢されており、正規コインがコイン収納部に適正枚数収納されていない場合又は正規コインより小さい外径の不正コインがコイン収納部に収納されている場合、回転体の回転時に回転体の係止縁を係止して回転体の回転を阻止し、複数の係止部材は、正規コインがコイン収納部に適正枚数収納されている場合、回転体の回転時に各正規コインの外周縁が摺接して反係止方向に移動させられ、回転体の係止縁を係止することなく回転体の回転を可能とし、コイン収納部の複数のコインをコイン排出口から排出できるように構成されたコイン選別装置であって、前記回転体には、前記コイン収納部のコイン収納枚数を切り替える切替部材が回動可能に設けられ、前記コイン収納部は、回転体に形成された第１のコイン収納部と、切替部材に形成された第２のコイン収納部とからなり、切替部材は、回転体に対して一方向に回動すると、第２のコイン収納部が回転体の第１のコイン収納部と重なって、第２のコイン収納部と第１のコイン収納部でコイン収納部を構成し、回転体に対して他方向に回動すると、第２のコイン収納部が回転体の第１のコイン収納部から外れて、第１のコイン収納部でコイン収納部を構成するようになっている。
本願請求項２記載のコイン選別装置は、上記第１の目的を達成するため、前記切替部材には、第２のコイン収納部が回転体の第１のコイン収納部から外れて、回転体の第１のコイン収納部でコイン収納部を構成している時に、回転体の回転時に係止部材と摺接して係止部材を反係止方向に移動させ、回転体の係止縁に係止させないようにするガイド縁が形成されている。
本願請求項３記載のコイン選別装置は、上記第１の目的を達成するため、前記回転体のコイン収納部には、係合方向に付勢された係合片が設けられ、係合片は、正規コインがコイン収納部に適正枚数収納されていない場合又は正規コインと厚みの異なる不正コインがコイン収納部に収納されている場合、回転体の回転時に装置本体の一側と係合して回転体の回転を阻止し、正規コインがコイン収納部に適正枚数収納されている場合、反係合方向に移動して回転体の回転時に装置本体の一側と係合せず回転体の回転を阻止しないようになっている。
本願請求項４記載のコイン選別装置は、上記第１の目的を達成するため、前記回転体及び切替部材の一方には、係合凸部又は係合凹部が形成され、前記回転体及び切替部材の他方には、第１と第２の係合凹部又は第１と第２の係合凸部が形成され、切替部材は、これを回転体に対して一方向に回動させて、第２のコイン収納部を回転体の第１のコイン収納部に重ねて、第２のコイン収納部と第１のコイン収納部でコイン収納部を構成した時に、係合凸部又は係合凹部が第１の係合凹部又は第１の係合凸部と係合して位置決めされ、これを回転体に対して他方向に回動させて、第２のコイン収納部を回転体の第１のコイン収納部から外して、第１のコイン収納部でコイン収納部を構成した時に、係合凸部又は係合凹部が第２の係合凹部又は第２の係合凸部と係合して位置決めされるようになっている。
本願請求項５記載のコイン選別装置は、上記第１の目的を達成するため、装置本体は、上部にコイン投入口が形成され、下部にコイン排出口が形成され、内部にハンドルによって操作される回転体が回転可能に設けられており、回転体には、コイン投入口から投入されたコインを複数枚重ねて収納可能なコイン収納部が形成され、装置本体には、コインの枚数に対応した複数の係止部材が設けられ、複数の係止部材は、それぞれ弾性部材によって係止方向に付勢されており、正規コインがコイン収納部に適正枚数収納されていない場合又は正規コインより小さい外径の不正コインがコイン収納部に収納されている場合、回転体の回転時に回転体の係止縁を係止して回転体の回転を阻止し、複数の係止部材は、正規コインがコイン収納部に適正枚数収納されている場合、回転体の回転時に各正規コインの外周縁が摺接して反係止方向に移動させられ、回転体の係止縁を係止することなく回転体の回転を可能とし、コイン収納部の複数のコインをコイン排出口から排出できるように構成されたコイン選別装置であって、前記回転体のコイン収納部には、コイン収納枚数を変更する変更部材を取り付ける取付部が形成され、当該変更部材は、装置本体の一側に着脱可能に取り付けられている。
本願請求項６記載のコイン選別装置は、上記第２の目的を達成するため、装置本体は、上部にコイン投入口が形成され、下部にコイン排出口及びコイン返却口が形成され、内部にハンドルによって操作される回転体が回転可能に設けられており、回転体は、コイン収納部を有し、コイン投入口から投入されたコインがコイン収納部に収納される初期位置で待機しており、装置本体には、第１の係止部材が第１の弾性部材によって係止方向に付勢されて設けられ、第１の係止部材は、コインがコイン収納部に収納されていない場合又は正規コインより小さい外径の不正コインがコイン収納部に収納されている場合、回転体の初期位置から一方向への回転時に回転体の第１の係止縁を係止して回転体の回転を阻止し、第１の係止部材は、正規コインがコイン収納部に収納されている場合、回転体の初期位置から一方向への回転時に正規コインの外周縁が摺接して反係止方向に移動させられ、回転体の第１の係止縁を係止することなく回転体の一方向への回転を可能とし、コイン収納部内のコインをコイン排出口から排出できるように構成されたコイン選別装置であって、回転体には、前記コイン収納部と連通し、コイン返却口にコインを落下させるコイン通路が形成され、装置本体には、コイン収納部とコイン通路の間を仕切る仕切部材が設けられ、仕切部材は、回転体の初期位置から一方向への回転時に、コイン収納部とコイン通路の間を仕切り、コイン収納部内のコインがコイン通路に落下するのを阻止し、回転体の初期位置から他方向への回転時に、コイン収納部とコイン通路の間を仕切らなくなり、コイン収納部内のコインがコイン通路に落下してコイン返却口から返却されるように形成されている。
本願請求項７記載のコイン選別装置は、上記第２の目的を達成するため、装置本体は、上部にコイン投入口が形成され、下部にコイン排出口及びコイン返却口が形成され、内部にハンドルによって操作される回転体が回転可能に設けられており、回転体は、コイン収納部を有し、コイン投入口から投入されたコインがコイン収納部に収納される初期位置で待機しており、装置本体には、第１の係止部材が第１の弾性部材によって係止方向に付勢されて設けられ、第１の係止部材は、コインがコイン収納部に収納されていない場合又は正規コインより小さい外径の不正コインがコイン収納部に収納されている場合、回転体の初期位置から一方向への回転時に回転体の第１の係止縁を係止して回転体の回転を阻止し、第１の係止部材は、正規コインがコイン収納部に収納されている場合、回転体の初期位置から一方向への回転時に正規コインの外周縁が摺接して反係止方向に移動させられ、回転体の第１の係止縁を係止することなく回転体の一方向への回転を可能とし、コイン収納部内のコインをコイン排出口から排出できるように構成されたコイン選別装置であって、回転体には、前記コイン収納部と連通し、コイン返却口にコインを落下させるコイン通路が形成され、さらに、コイン収納部とコイン通路の間を仕切る仕切部材が設けられ、仕切部材は、コインの落下を阻止する仕切位置と、コインの落下を阻止しない非仕切位置に移動可能であって、第４の弾性部材によって仕切位置側に付勢されており、装置本体には、回転体の初期位置から一方向への回転時に、仕切位置の仕切部材と係合せず、コイン収納部内のコインがコイン通路に落下するのを阻止し、回転体の初期位置から他方向への回転時に、仕切位置の仕切部材と係合して仕切部材を第４の弾性部材の弾性に抗して非仕切位置に移動させ、コイン収納部内のコインをコイン通路に落下させ、コイン返却口からコインを返却させる係合部材が設けられている。
本願請求項８記載のコイン選別装置は、上記第２の目的を達成するため、装置本体は、上部にコイン投入口が形成され、下部にコイン排出口及びコイン返却口が形成され、内部にハンドルによって操作される回転体が回転可能に設けられており、回転体は、コイン収納部を有し、コイン投入口から投入されたコインがコイン収納部に収納される初期位置で待機しており、装置本体には、第１の係止部材が第１の弾性部材によって係止方向に付勢されて設けられ、第１の係止部材は、コインがコイン収納部に収納されていない場合又は正規コインより小さい外径の不正コインがコイン収納部に収納されている場合、回転体の初期位置から一方向への回転時に回転体の第１の係止縁を係止して回転体の回転を阻止し、第１の係止部材は、正規コインがコイン収納部に収納されている場合、回転体の初期位置から一方向への回転時に正規コインの外周縁が摺接して反係止方向に移動させられ、回転体の第１の係止縁を係止することなく回転体の一方向への回転を可能とし、コイン収納部内のコインをコイン排出口から排出できるように構成されたコイン選別装置であって、回転体には、前記コイン収納部と連通し、コイン返却口にコインを落下させるコイン通路が形成され、さらに、コイン収納部とコイン通路の間に一対のコインストッパーが設けられ、一対のコインストッパーは、コインの落下を阻止する閉じる位置と、コインの落下を阻止しない開く位置に移動可能であって、第４の弾性部材によって閉じる方向に付勢されており、装置本体には、回転体の初期位置から一方向への回転時に、閉じた状態の一対のコインストッパーと係合せず、コイン収納部内のコインがコイン通路に落下するのを阻止し、回転体の初期位置から他方向への回転時に、閉じた状態の一対のコインストッパーと係合して一対のコインストッパーを第４の弾性部材の弾性に抗して開く位置に移動させ、コイン収納部内のコインをコイン通路に落下させ、コイン返却口からコインを返却させる係合部材が設けられている。
本願請求項９記載のコイン選別装置は、上記第２の目的を達成するため、装置本体には、第２の係止部材が第２の弾性部材によって係止方向に付勢されて設けられ、第２の係止部材は、回転体を初期位置から他方向へ回転させてコイン収納部内のコインをコイン通路に落下させた後に、回転体の第２の係止縁を係止して回転体の他方向への回転を阻止するように形成されている。
本願請求項１０記載のコイン選別装置は、上記第２の目的を達成するため、装置本体には、前記回転体を初期位置で位置決めする位置決め手段が設けられ、位置決め手段が、回転体又は回転体の略中心に設けられた回転軸に形成された被係合部に係合する係合部材と、係合部材を係合方向に付勢する第３の弾性部材とからなる。
本願請求項１１記載のコイン選別装置は、上記第２の目的を達成するため、上部にコイン投入口が形成され、下部にコイン排出口およびコイン返却口が形成された装置本体と、前記装置本体内に回転可能に設けられた回転体と、前記装置本体に設けられ前記回転体内に突出した仕切部材と、前記回転体の外側縁に設けられた開口、前記回転体に設けられ、一端は前記開口と連通するコイン収納部であって、他端が前記回転体の回転に応じて前記仕切部材と対向する状態と対向しない状態を取ることが可能な前記コイン収納部と、前記回転体に設けられ、前記コイン収納部の他端と一端にて連通し、他端にて前記回転体の外部に連通するコイン通路であって、前記コイン収納部と鈍角となるように形成された前記コイン通路とを有し、前記回転体が前記装置本体のコイン投入口と前記開口が対向する初期位置にあるとき、および、当該初期位置から一方向に回転されるときには、前記仕切部材が前記コイン収納部の他端と対向する状態となることで、前記コイン投入口から投入されたコインは前記コイン通路に移動することが阻止されることにより、前記コイン収納部に保持され、前記回転体が初期位置から一方向に９０度以上回転されたときには、前記コイン収納部に保持されたコインは自重によって前記開口を介して前記コイン排出口より排出され、前記回転体が初期位置から他方向に回転されるときには、前記コイン収納部の他端が前記仕切部材と対向しない状態となることで、前記コイン収納部に保持されたコインは前記コイン通路に移動可能とされ、自重により前記コイン通路を介して前記コイン返却口より排出されるように形成されている。
本願請求項１２記載のコイン選別装置は、上記第２の目的を達成するため、上部にコイン投入口が形成され、下部にコイン排出口およびコイン返却口が形成された装置本体と、前記装置本体内に回転可能に設けられた回転体と、前記回転体の外側縁に設けられた開口と、前記回転体に設けられ、一端が前記開口と連通するコイン収納部と、前記回転体に設けられ、前記コイン収納部の他端と一端にて連通し、他端にて前記回転体の外部に連通するコイン通路と、前記回転体に設けられた、コイン収納部とコイン通路の間を仕切る仕切部材であって、コインの落下を阻止する仕切位置と、コインの落下を阻止しない非仕切位置に移動可能であり、第４の弾性部材によって仕切位置側に付勢された仕切部材と、前記装置本体に設けられ、回転体の初期位置から一方向への回転時に、仕切位置の仕切部材と係合せず、コイン収納部内のコインがコイン通路に落下するのを阻止し、回転体の初期位置から他方向への回転時に、仕切位置の仕切部材と係合して仕切部材を第４の弾性部材の弾性に抗して非仕切位置に移動させ、コイン収納部内のコインをコイン通路に落下させ、コイン返却口からコインを返却させる係合部材とを有し、前記回転体が前記装置本体のコイン投入口と前記開口が対向する初期位置にあるとき、および、当該初期位置から一方向に回転されるときには、前記仕切部材が前記係合部材と係合せずに仕切位置にあることで、前記コイン投入口から投入されたコインは前記コイン通路に移動することが阻止されることにより、前記コイン収納部に保持され、前記回転体が初期位置から一方向に９０度以上回転されたときには、前記コイン収納部に保持されたコインは自重によって前記開口を介して前記コイン排出口より排出され、前記回転体が初期位置から他方向に回転されるときには、前記仕切部材が前記係合部材と係合して非仕切位置に移動することで、前記コイン収納部に保持されたコインは前記コイン通路に移動可能とされ、自重により前記コイン通路を介して前記コイン返却口より返却されるように形成されている。
本願請求項１３記載のコイン選別装置は、上記第２の目的を達成するため、上部にコイン投入口が形成され、下部にコイン排出口およびコイン返却口が形成された装置本体と、前記装置本体内に回転可能に設けられた回転体と、前記回転体の外側縁に設けられた開口と、前記回転体に設けられ、一端が前記開口と連通するコイン収納部と、前記回転体に設けられ、前記コイン収納部の他端と一端にて連通し、他端にて前記回転体の外部に連通するコイン通路と、前記回転体に設けられた、コイン収納部とコイン通路の間を閉じる一対のコインストッパーであって、コインの落下を阻止する閉じる位置と、コインの落下を阻止しない開く位置に移動可能であり、第４の弾性部材によって閉じる方向に付勢された一対のコインストッパーと、前記装置本体に設けられ、回転体の初期位置から一方向への回転時に、閉じた状態の一対のコインストッパーと係合せず、コイン収納部内のコインがコイン通路に落下するのを阻止し、回転体の初期位置から他方向への回転時に、閉じた状態の一対のコインストッパーと係合して一対のコインストッパーを第４の弾性部材の弾性に抗して開く位置に移動させ、コイン収納部内のコインをコイン通路に落下させ、コイン返却口からコインを返却させる係合部材とを有し、前記回転体が前記装置本体のコイン投入口と前記開口が対向する初期位置にあるとき、および、当該初期位置から一方向に回転されるときには、前記一対のコインストッパーが前記係合部材と係合せずに閉じる位置にあることで、前記コイン投入口から投入されたコインは前記コイン通路に移動することが阻止されることにより、前記コイン収納部に保持され、前記回転体が初期位置から一方向に９０度以上回転されたときには、前記コイン収納部に保持されたコインは自重によって前記開口を介して前記コイン排出口より排出され、前記回転体が初期位置から他方向に回転されるときには、前記一対のコインストッパーが前記係合部材と係合して開く位置に移動することで、前記コイン収納部に保持されたコインは前記コイン通路に移動可能とされ、自重により前記コイン通路を介して前記コイン返却口より返却されるように形成されている。
【図面の簡単な説明】  第１図は、本願発明に係るコイン選別装置の全体斜視図である。第２図は、本願発明に係るコイン選別装置の分解斜視図である。第３図は、本願発明に係るコイン選別装置のケースの斜視図である。第４図は、本願発明に係るコイン選別装置の回転体の分解斜視図である。第５図は、本願発明に係るコイン選別装置の回転体の組立斜視図である。第６図は、本願発明に係るコイン選別装置の回転体の動きを説明する斜視図である。第７図は、本願発明に係るコイン選別装置の蓋部材の分解斜視図である。第８図は、本願発明に係るコイン選別装置の動きを説明する蓋部材を外した正面図である。第９図は、回転体の反時計方向への回転が係止部材によって阻止されている状態を示す正面図である。第１０図は、係止部材の係止をコインが解除している状態を示す正面図である。第１１図は、回転体が反時計方向へ略１２０°回転した状態を示す正面図である。第１２図は、回転体がコインを排出口へ落下させる直前の状態を示す正面図である。第１３図は、回転体が反時計方向へ略２７０°回転した状態を示す正面図である。第１４図は、回転体の時計方向への回転が係止部材によって阻止されている状態を示す正面図である。
第１５図は、本願発明に係るコイン選別装置の他の実施の形態を一方から視た全体斜視図である。第１６図は、本願発明に係るコイン選別装置の他の実施の形態を他方から視た全体斜視図である。第１７図は、本願発明に係るコイン選別装置の他の実施の形態を示す分解斜視図である。第１８図は、本願発明に係るコイン選別装置の回転体の分解斜視図である。第１９図は、回転体の反時計方向への回転が係止部材によって阻止されている状態を示す正面図である。第２０図は、コインが回転体のコイン収納部に収納された状態を示す正面図である。第２１図は、係止部材の係止をコインが解除している状態を示す正面図である。第２２図は、回転体が反時計方向へ略１２０°回転した状態を示す正面図である。第２３図は、回転体の時計方向への回転が係止部材によって阻止されている状態を示す正面図である。
【発明を実施するための最良の形態】  コイン選別装置の一つの実施の形態について説明する。図１、２に示すように、コイン選別装置１の装置本体２は、上部にコイン投入口３５が形成され、下部にコイン排出口３６が形成され、内部にハンドル２５０によって操作される回転体９０が回転可能に設けられている。回転体９０には、コイン投入口３５から投入されたコインＣを受容する開口８５と、当該開口８５と一端１３６にて連通した複数枚重ねて収納可能なコイン収納部１３５が形成されている。装置本体２には、コインＣの枚数に対応した複数の係止部材４１〜４４が設けられている。
図３に示すように、複数の係止部材４１〜４４は、それぞれ弾性部材５０によって係止方向に付勢されており、正規コインＣがコイン収納部１３５に適正枚数収納されていない場合又は正規コインより小さい外径の不正コインがコイン収納部１３５に収納されている場合、回転体９０の回転時に回転体９０の係止縁１１６を係止して回転体９０の回転を阻止する。また、複数の係止部材４１〜４４は、正規コインＣがコイン収納部１３５に適正枚数収納されている場合、回転体９０の回転時に各正規コインＣの外周縁が摺接して反係止方向に移動させられ、回転体９０の係止縁１１６を係止することなく回転体９０の回転を可能とし、コイン収納部１３５の複数のコインＣをコイン排出口３６から排出できるように構成されている。
前記回転体９０には、前記コイン収納部１３５のコイン収納枚数を切り替える切替部材１５０が回動可能に設けられている。前記コイン収納部１３５は、回転体９０に形成された第１のコイン収納部１４０と、切替部材１５０に形成された第２のコイン収納部１５４とからなる。切替部材１５０は、回転体９０に対して一方向（Ｘ方向  反時計方向）に回動すると、第２のコイン収納部１５４が回転体９０の第１のコイン収納部１４０と重なって、第２のコイン収納部１５４と第１のコイン収納部１４０でコイン収納部１３５を構成し、回転体９０に対して他方向（Ｙ方向  時計方向）に回動すると、第２のコイン収納部１５４が回転体９０の第１のコイン収納部１４０から外れて、第１のコイン収納部１４０でコイン収納部１３６を構成するようになっている。
前記切替部材１５０には、第２のコイン収納部１５４が回転体９０の第１のコイン収納部１４０から外れて、回転体９０の第１のコイン収納部１４０でコイン収納部１３６を構成している時に、回転体９０の回転時に係止部材４１〜４４と摺接して係止部材４１〜４４を反係止方向に移動させ、回転体９０の係止縁１１６に係止させないようにするガイド縁１６８が形成されている。
前記回転体９０のコイン収納部１３５には、係合方向に付勢された係合片１００が設けられている。係合片１００は、正規コインＣがコイン収納部１３５に適正枚数収納されていない場合又は正規コインＣと厚みの異なる不正コインがコイン収納部１３５に収納されている場合、回転体９０の回転時に装置本体２の一側６と係合して回転体９０の回転を阻止する。係合片１００は、正規コインＣがコイン収納部１３５に適正枚数収納されている場合、反係合方向に移動して回転体９０の回転時に装置本体２の一側６と係合せず回転体９０の回転を阻止しないようになっている。
前記回転体９０及び切替部材１５０の一方には、係合凸部１２８又は係合凹部が形成されている。前記回転体９０及び切替部材１５０の他方には、第１と第２の係合凹部１６６，１６７又は第１と第２の係合凸部が形成されている。切替部材１５０は、これを回転体９０に対して一方向（Ｘ方向  反時計方向）に回動させて、第２のコイン収納部１５４を回転体９０の第１のコイン収納部１４０に重ねて、第２のコイン収納部１５４と第１のコイン収納部１４０でコイン収納部１３５を構成した時に、係合凸部１２８又は係合凹部が第１の係合凹部１６６又は第１の係合凸部と係合して位置決めされている。切替部材１５０は、これを回転体９０に対して他方向（Ｙ方向  時計方向）に回動させて、第２のコイン収納部１５４を回転体９０の第１のコイン収納部１４０から外して、第１のコイン収納部１４０でコイン収納部１３５を構成した時に、係合凸部１２８又は係合凹部が第２の係合凹部１６７又は第２の係合凸部と係合して位置決めされるようになっている。
装置本体２は、上部にコイン投入口３５が形成され、下部にコイン排出口３６が形成され、内部にハンドル２５０によって操作される回転体９０が回転可能に設けられている。回転体９０は、コイン収納部１３５を有し、コイン投入口３５から投入されたコインＣがコイン収納都１３５に収納される初期位置で待機している。装置本体２には、第１の係止部材４１〜４４が第１の弾性部材６０によって係止方向に付勢されて設けられている。第１の係止部材４１〜４４は、コインＣがコイン収納部１３５に収納されていない場合又は正規コインＣより小さい外径の不正コインがコイン収納部１３５に収納されている場合、回転体９０の初期位置から一方向（Ｘ方向  反時計方向）への回転時に回転体９０の第１の係止縁１１６を係止して回転体９０の回転を阻止する。第１の係止部材４１〜４４は、正規コインＣがコイン収納部１３５に収納されている場合、回転体９０の初期位置から一方向（Ｘ方向  反時計方向）への回転時に正規コインＣの外周縁が摺接して反係止方向に移動させられ、回転体９０の第１の係止縁１１６を係止することなく回転体９０の一方向（Ｘ方向  反時計方向）への回転を可能とし、コイン収納部１３６内のコインＣをコイン排出口３６から排出できるように構成されている。
回転体９０には、前記コイン収納部１３５と連通し、コイン排出口３６にコインＣを落下させるコイン通路１４３が形成されている。装置本体２には、コイン収納部１３５とコイン通路１４３を仕切る仕切部材１７５が設けられている。仕切部材１７５は、回転体９０の初期位置から一方向（Ｘ方向  反時計方向）への回転時に、コイン収納部１３５内のコインＣがコイン通路１４３に落下するのを阻止する。仕切部材１７５は、回転体９０の初期位置から他方向（Ｙ方向  時計方向）への回転時に、コイン収納部１３５内のコインＣがコイン通路１４３に落下するのを阻止せず、コイン排出口３６からコインＣが排出されるように形成されている。
装置本体２には、第２の係止部材６２が第２の弾性部材６３によって係止方向に付勢されて設けられている。第２の係止部材６２は、回転体９０を初期位置から他方向（Ｙ方向  時計方向）へ回転させてコイン収納部１３５内のコインＣをコイン通路１４３に落下させた後に、回転体９０の第２の係止縁１１７を係止して回転体９０の他方向（Ｙ方向  時計方向）への回転を阻止するように形成されている。
装置本体２には、前記回転体９０を初期位置で位置決めする位置決め手段２４０が設けられている。位置決め手段２４０は、回転体９０又は回転体９０の略中心に設けられた回転軸２２５に形成された被係合部２３０に係合する係合部材２３１と、係合部材２３１を係合方向に付勢する第３の弾性部材２４１とからなる。
また、コイン選別装置１は、上部にコイン投入口３５が形成され、下部にコイン排出口８１およびコイン返却口８２が形成された装置本体２と、前記装置本体２内に回転可能に設けられた回転体９０と、前記装置本体２に設けられ前記回転体９０内に突出した仕切部材１７５と、前記回転体９０の外側縁に設けられた開口８５と、前記回転体９０に設けられ、一端１３６は前記開口８５と連通するコイン収納部１３５であって、他端１３７が前記回転体９０の回転に応じて前記仕切部材１７５と対向する状態と対向しない状態を取ることが可能な前記コイン収納部１３５と、前記回転体９０に設けられ、前記コイン収納部１３５の他端１３７と一端１３８にて連通し、他端１３９にて前記回転体９０の外部に連通するコイン通路１４３であって、前記コイン収納部１３６と鈍角となるように形成された前記コイン通路１４３とを有する。
コイン選別装置１は、前記回転体９０が前記装置本体２のコイン投入口３５と前記開口８５が対向する初期位置にあるとき、および、当該初期位置から一方向に回転されるときには、前記仕切部材１７５が前記コイン収納部１３５の他端１３７と対向する状態となることで、前記コイン投入口３５から投入されたコインＣは前記コイン通路１４３に移動することが阻止されることにより、前記コイン収納部１３５に保持される。コイン選別装置１は、前記回転体９０が初期位置から一方向に９０度以上回転されたときには、前記コイン収納部１３５に保持されたコインＣは自重によって前記開口８５を介して前記コイン排出口８１より排出され、前記回転体９０が初期位置から他方向に回転されるときには、前記コイン収納部１３５の他端１３７が前記仕切部材１７５と対向しない状態となることで、前記コイン収納部１３５に保持されたコインＣは前記コイン通路１４３に移動可能とされ、自重により前記コイン通路１４３を介して前記コイン返却口８２より排出されるように形成されている。
さらに具体的に説明する。図１に示すように、コイン選別装置１は、矩形箱状に形成された装置本体２を有する。図２に示すように、装置本体２は、ケース３と、ケース３の後部にネジ等の固定手段５によって取り付けられる蓋部材１７０とからなり、内部に回転体９０が一方向（Ｘ方向  反時計方向）に回転可能に設けられている。図３に示すように、ケース３は、前壁１１と、前壁１１の上部に形成された上壁１２と、前壁１１の左部に形成された左壁１３と、前壁１１の右部に形成された右壁１４とを有し、下部及び後部が開放されている。ケース３の後部開放部３ａは、前記した蓋部材１７０によって塞がれ、ケース３の下部開放部３ｂはコイン排出口３６を形成する。上壁１２と左壁１３と右壁１４の前後方向の高さは、略同じとなるように形成されている。
前壁１１の内面１５には、円形の凹部１６が形成されている。円形の凹部１６は、底面１７と、底面１７の周囲に形成された側面１９とで形成されている。底面１７は、略中心に軸受け孔２０が形成され、さらに軸受け孔２０を中心として環状の凹溝２１が形成されている。また、前壁１１の内面１５には、半円状の第１の案内壁２６と、直線状の第２の案内壁２６が設けられている。第１の案内壁２５は、下部開放部３ｂに位置する右下端２７から円形の凹部１６の周縁に沿った形で設けられ、内面１５の方向から見た場合の円形の凹部１６の左側に位置する左端２８にて、第２の案内壁２６の上端２０と連接している。（以下、本実施例における「右」、「左」はいずれも内面１５の方向から見た場合の「右」、「左」を指すものとする。）第２の案内壁２６は、下端３１が左壁１３の下端に連接している。ケース３は、第１の案内壁２５と第２の案内壁２６によって、回転体９０を収納する収納室２９が形成されている。
上壁１２の略中央には、略コ字状の切り欠き３８によって、ケース３内と連通するコイン投入口３５が形成されている。図８に示すように、第１の案内壁２５上の左上部分には、切り欠き部３８が形成されている。このことによりケース３の上壁１２近傍には、上壁１２と左壁１３と第１の案内壁２５により囲まれた上部凹み部４０が形成される。当該上部凹み部４０は、前記切り欠き部３８により収納室２９と連通している。また、当該上部凹み部４０には、４枚の係止爪部材（第１の係止部材）４１〜４４と、各係止爪部材（第１の係止部材）４１〜４４をそれぞれ付勢する第１の弾性部材５０が設けられている。係止爪部材（第１の係止部材）４１〜４４は、細長い板状に形成され、下端部に軸部４５が形成され、上端部に係合縁４６が形成され、上端部の収納室２９側に係止突部４７が形成されている。第１の弾性部材５０は、金属板によって形成され、下部５５が略Ｕ字状に折曲され、上部が４つに切り離されて４つの弾性片５１〜５４が形成されている。
図８に示すように、前記上部凹み部４０内であって、切り欠き部３８の下方の位置には、略Ｃ字状の軸受け部５７と略Ｕ字状の差し込み溝５９が形成されている。前記係止爪部材（第１の係止部材）４１〜４４は、重ねられて、軸部４５が軸受け部５７に回動可能に取り付けられている。前記第１の弾性部材５０は、略Ｕ字状の下部５５が差し込み溝５９に差し込まれて取り付けられ、４つの弾性片５１〜５４が夫れ夫れ個々に係止爪部材（第１の係止部材）４１〜４４に当接して、係止爪部材（第１の係止部材）４１〜４４をケース３の内側に向かって付勢する。第１の弾性部材５０によって付勢された係止爪部材（第１の係止部材）４１〜４４は、係合縁４６が切り欠き部３８の上部に形成された係合突起３９に当接し、係止突部４７が切り欠き部３８から収納室２９内に突出する。
第１の案内壁２５の右下端２７近傍には、切り欠き部６０が形成されている。前壁１１の内面１５であって、下部開放部３ｂ近傍には、右壁１４と前記第１の案内壁２５により囲まれた下部凹み部６１が形成されている。当該下部凹み部６１は前記切り欠き部６０により収納室２９と連通している。また、当該下部凹み部６１には、１枚の係止爪部材（第２の係止部材）６２と、係止爪部材（第２の係止部材）６２を付勢する第２の弾性部材６３が設けられている。係止爪部材（第２の係止部材）６２は、細長い板状に形成され、下部に軸部６５が形成され、上端部に係合縁６６が形成され、上端部の収納室２９側の下方に係止突部６７が形成されている。第２の弾性部材６３は、金属板によって形成され、下部６９が略Ｕ字状に折曲されて形成されている。
前記下部凹み部６１内であって、切り欠き部６０の下方の位置には、略Ｃ字状の軸受け部７０と略Ｕ字状の差し込み溝７１が形成されている。前記係止爪部材（第２の係止部材）６２は、軸部６５が軸受け部７０に回動可能に取り付けられている。前記第２の弾性部材６３は、下部６９が差し込み溝７１に差し込まれて取り付けられ、上部６８が係止爪部材（第２の係止部材）６２に当接してケース３の内側に向かって付勢する。第２の弾性部材６３によって付勢された係止爪部材（第２の係止部材）６２は、係合縁６６が切り欠き部６０の上部に形成された係合突起７２に当接し、係止突部６７が切り欠き部６０から収納室２９内に突出する。
前記円形の凹部１６の側面１９には、第１のガイド溝７５と第２のガイド溝７６が形成されている。第１のガイド溝７５は、前記切り欠き部３８の下端から下部開放部３ｂ近傍まで形成されている。第２のガイド溝７６は、コイン投入口３５から切り欠き部６０の上端まで形成されている。また、下部開放部３ｂは、前壁１１の内面１５に突設されたピン７９により、第１の排出口（コイン排出口）８１と第２の排出口（コイン返却口）８２に分けられている。
図４に示すように、回転体９０は、円板状の基板９１と、基板９１の表面９１ａ（前壁１１の内面１５と当接しない面）に設けられた右案内部材９２及び左案内部材９３と、基板９１の裏面９１ｂ略中心に設けられた回転軸９４を有する。基板９１は、前記ケース３の凹部１６を形成する側面１９の深さと略同程度の厚みによって形成され、右案内部材９２と左案内部材９３との間に基板９１から外方へ突出した突片９５が形成されている。突片９５は、左右の両側に基板９１の内方へ切り欠かれた切り溝９６，９６を有し、上端９７が基板９１の外周縁から突出している。突片９５は、上端９７から下方に向かって略コ字状の切り欠き９９が形成され、当該切り欠き９９に係合片１００が設けられている。
係合片１００は、下部に枢軸１０１が設けられ、枢軸１０１の両側が切り欠き９９の下部両側に形成された軸受け凹部１０２、１０２に軸受けされている。基板９１の裏面９１ｂには、切り欠き９９を塞ぐ固定板１０３が固定して取り付けられている。固定板１０３には、固定板１０３の裏面１０４より突出するガイド筒１０５が形成されている。係合片１００は、上部裏面に、ガイド筒１０５内に挿通して案内されるガイド軸１０６が設けられ、ガイド軸１０６に巻装されたバネ状の弾性部材１０７によって、係合片１００の上端１０９が基板９１の表面９１ａより内側に突出するよう付勢されている。
右案内部材９２は、前記突片９５の右側縁と略平行に設けられた右上部ガイド面１１０と、右上部ガイド面１１０の下端に上端が連接された右湾曲面１１１と、右湾曲面１１１の下端に左端が連接された右下部ガイド面１１２と、右下部ガイド面１１２の右端と右上部ガイド面１１０の上端を連結する右外周面１１３とで形成されている。右外周面１１３は、基板９１と略同じ半径で形成されている。右外周面１１３の上端から右外周面１１３の略半分までには、基板９１の外周縁に沿って湾曲し、基板９１の外周縁より外方に突出したストッパー片１１５が一体に形成されている。図６に示すように、ストッパー片１１５は、上端に第１の係止縁１１６が形成され、下端に第２の係止縁１１７が形成されている。
左案内部材９３は、前記突片９５の左側縁と略平行に設けられた左上部ガイド面１２０と、左上部ガイド面１２０の下端に上端が連接された左湾曲面１２１と、左湾曲面１２１の下端に左端が連接された左下部ガイド面１２２と、左下部ガイド面１２２の右端と左上部ガイド面１２０の上端を連結する左外周面１２３とで形成されている。左外周面１２３は、基板９１と略同じ半径で形成されている。左案内部材９３は、係合段部１３０によって、上部１３１と下部１３２に仕切られている。左案内部材９３の上部１３１の前後方向の高さは、前記右案内部材９２と略同じに形成されている。左案内部材９３の上部１３１と右案内部材９２の前後方向の高さは、略コイン２枚分の厚みに設定されている。左案内部材９３の下部１３２の前後方向の高さは、上部１３１より高く形成されている。
左案内部材９３の上部１３１には、略コ字状の切り欠き１２５によって、係合片１２６が形成されている。係合片１２６は、一端が基板９１に連結された可撓片１２７と、可撓片１２７の他端に設けられた係合凸部１２８とからなる。係合凸部１２８は、円板状に形成され、左案内部材９３の上部１３１表面から突出している。
回転体９０は、右案内部材９２の右上部ガイド面１１０と左案内部材９３の左上部ガイド面１２０によって、第１のコイン収納部１４０が形成されている。前記右案内部材９２の右上部ガイド面１１０と左案内部材９３の左上部ガイド面１２０の間隔は、コインＣの直径より僅かに大きく設定されている。また、回転体９０は、右案内部材９２の右湾曲面１１１と左案内部材９３の左湾曲面１２１によって、第１のコイン通路１４１が形成されている。さらに又、回転体９０は、右案内部材９２の右下部ガイド面１１２と左案内部材９３の左下部ガイド面１２２によって、第２のコイン通路１４２が形成されている。第１のコイン通路１４１と第２のコイン通路１４２によって、第１のコイン収納部１４０と連通する略Ｌ字状のコイン通路１４３が形成される。第１のコイン収納部１４０は、上端（一端）１３６が回転体９０の外側縁に設けられた開口８５と連通し、下端（他端）１８７が第１のコイン通路１４１の上端（一端）１３８と連通する。第２のコイン通路１４２の下端（他端）１３９は、回転体９０の外部に連通している。この第２のコイン通路１４２は、第１のコイン収納部１４０と鈍角となるように形成されている。
図４に示すように、基板９１の表面９１ａの右湾曲面１１１、左湾曲面１２１の近傍には取付片１４７，１４７が設けられている。当該取付片１４７，１４７は、ネジ等の固定手段１４９，１４９によって基板９１に固定された底壁１４７ａと、当該底壁１４７ａと略直角に形成された直壁１４７ｂとで構成されており、略Ｌ字状に形成されている。なお、取付片１４７，１４７は基板９１の中心に対して対称位置となるように固定されているとともに、互いの直壁１４７ｂ，１４７ｂの間の距離は、コインの直径より若干大きくされている。このことにより、第１のコイン通路１４１は、コインＣの通過を妨げないようになっている。また、直壁１４７ｂの高さは、少なくともコイン４枚分の厚みよりも高く形成されている。取付片１４７，１４７の直壁１４７ｂ，１４７ｂの上端には、円板状の取付板１４６が取り付けられている。また、取付板１４６には前記回転軸９４と略同一軸心となる中心軸１４５が設けられている。回転体９０の周壁には、前記ケース３の凹部１６の側面１９に形成された第１のガイド溝７５に摺動可能に案内されるガイド片１４８が突設されている。
回転体９０には、切替部材１５０が回動可能に設けられている。図７に示すように、切替部材１５０は、ガイドリング１５１を有し、ガイドリング１５１の裏面１５３にはガイドリングの外方に突出した扇状の右ガイド部材１５５が設けられている。右ガイド部材１５５は、ガイドリング１５１の外方に突出しガイドリング１５１の直径方向と略平行な右上部ガイド面１５６と、右上部ガイド面１５６の下端（ガイドリング１５１と接続している端）に上端が連接され、ガイドリング１５１と略同じ半径の右湾曲面１５７と、右湾曲面１５７の下端からガイドリング１５１の外方に突出した右下部ガイド面１５８と、右下部ガイド面１５８の右端（ガイドリング１５１と接続されていない端）と右上部ガイド面１５６の上端（ガイドリング１５１と接続されていない端）を連結する右外周面１５９とで形成されている。右外周面１５９は、基板９１と略同じ半径で形成されている。右ガイド部材１５５の厚みは、略コイン２枚分の厚みに設定されている。
また、ガイドリング１５１上の右上部ガイド面１５６からコインの直径より若干大きい距離だけ離れた位置からは、右上部ガイド面１５６と略平行に左上部ガイド面１６１が突設されている。当該左上部ガイド面１６１と、左上部ガイド面１６１の下端（ガイドリング１５１と接続している端）に上端が連接されたガイドリング１５１と略同じ半径の左湾曲面１６２と、左湾曲面１６２の下端に右端が連接され、ガイドリング１５１の外方に突出した左下部ガイド面１６３と、左下部ガイド面１６３の左端（ガイドリング１５１と接続されていない端）と左上部ガイド面１６１の上端を連結する左外周面１６５とで、左ガイド部材１６０が形成されている。左外周面１６５は、基板９１と略同じ半径で形成されている。左ガイド部材１６０には、前記回転体９０の係合凸部１２８と係脱可能に係合する第１の係合凹部１６６と第２の係合凹部１６７が上下に配置されるように形成されている。第１の係合凹部１６６と第２の係合凹部１６７は、円形の孔で形成されている。左ガイド部材１６０は、コインＣと略同じ外径のガイド縁１６８が第１の係合凹部１６６と略同じ中心で形成されている。なお、左ガイド部材１６０は、第１の係合凹部１６６と第２の係合凹部１６７の間の外径１６９が左外周面１６５の外径より小さく形成されている。切替部材１５０は、前記右上部ガイド面１５６と前記左上部ガイド面１６１によって第２のコイン収納部１５４が形成される。
切替部材１５０は、回転体９０に回動可能に設けられ、第１の係合凹部１６６が前記回転体９０の係合凸部１２８に係合している場合は、右ガイド部材１５５の右上部ガイド面１５６が右案内部材９２の右上部ガイド面１１０と略同じ面を形成し、左ガイド部材１６０の左上部ガイド面１６１が左案内部材９３の左上部ガイド面１２０と略同じ面を形成する。即ち、回転体９０に形成された第１のコイン収納部１４０と、切替部材１５０に形成された第２のコイン収納部１５４とが重なって、第２のコイン収納部１５４と第１のコイン収納部１４０とでコイン収納部１３５を構成する。右ガイド部材１５５の右外周面１５９は、回転体９０の湾曲したストッパー片１１５内面に案内されている。
第２の係合凹部１６７が前記回転体９０の係合凸部１２８に係合している場合は、左ガイド部材１６０が第１のコイン収納部１４０を塞ぐことになる。即ち、第２のコイン収納部１５４が回転体９０の第１のコイン収納部１４０から外れて、第１のコイン収納部１４０でコイン収納部１３５を構成する。左ガイド部材１６０のガイド縁１６８が、第１のコイン収納部１４０に収納されるコインＣと外周縁と重なるようになっている。左ガイド部材１６０の左外周面１６５は、回転体９０の湾曲したストッパー片１１５内面に案内される。
図７に示すように、蓋部材１７０は、前記切替部材１５０のガイドリング１５１を回動可能に案内する凹部１７１が形成されている。凹部１７１は、ガイドリング１５１の外周面１５２を摺動可能に案内する環状の側面１７２が形成されている。凹部１７１の中心には、前記回転体９０の中心軸１４５を挿通する挿通孔１７３が形成されている。凹部１７１には、ガイドリング１５１の内側から回転体９０の内面まで突出し、第１のコイン収納部１４０と第１のコイン通路１４１を仕切る仕切部材１７５が設けられている。仕切部材１７５は、湾曲して形成され、コイン投入口３５と第１のコイン収納部１４０が対向するように回転体９０をケース３に対して位置させたときに、第１のコイン収納部１４０の下部の略左半分を塞ぐように配置されている。このことにより、第１のコイン収納部１４０に収納されたコインは仕切部材１７５により第１のコイン通路１４１への進入が妨げられるようになっている。即ち、第１のコイン収納部１４０は、前記他端１３７が回転体９０の回転に応じて仕切部材１７５と対向する状態と対向しない状態を取ることが可能である。
蓋部材１７０は、コイン収納部１３５と対向する上部に、コ字状の切り欠き１８０が形成され、切り欠き１８０の左側近傍に前記凹部１７１の外周に沿った長孔１８１が形成されている。さらに、蓋部材１７０の上端からは、切り欠き１８０を挟んで右軸受け突起１８２と左軸受け突起１８３が上方に突設されている。右軸受け突起１８２には、右軸受け凹部１８５が形成され、左軸受け突起１８３には、左軸受け凹部１８６が形成されている。左軸受け突起１８３の上端には、ばね受け片１８７が左軸受け突起１８３と略直角となるように突設形成されている。
蓋部材１７０の前記切り欠き１８０には押圧部材１９０が取り付けられている。押圧部材１９０は、前記右軸受け突起１８２と前記左軸受け突起１８３に軸受けされた揺動部材１９１と、当該揺動部材１９１に揺動可能に設けられた第１の押圧片部材１９２と、第２の押圧片部材１９３とからなる。揺動部材１９１は、切り欠き１８０と略同一形状の揺動板１９５を有する。揺動板１９５は、上端に前記右軸受け凹部１８５、前記左軸受け凹部１８６に軸受けされた揺動軸１９６が設けられ、中間部に透孔１９７が形成されている。揺動板１９５は、上部に一対の支軸２０１，２０２が設けられ、左部より軸受板２０３が延設されている。軸受板２０３には、一対の略Ｃ字状の軸受け部２０５，２０６が突設形成されている。
第１の押圧片部材１９２は、揺動板１９５の支軸２０１，２０２を軸支する略コ字状の軸受け片２１０と、軸受け片２１０の略中間部より下方に突出して設けられた板状の押圧片２１１とからなる。押圧片２１１は、略中間部が揺動板１９５の方向に屈曲して爪状に形成されており、揺動板１９５に第１の押圧片部材１９２を取り付けたとき、その先端１９２が揺動板１９５の透孔１９７まで届くように形成されている。軸受け片２１０の両側には略Ｃ字状の軸受け部２１２，２１３が形成きれており、揺動部材１９１の支軸２０１，２０２に回動可能に取り付けられていることにより、第１の押圧片部材１９２は揺動板１９５に対して揺動可能とされている。押圧片２１１は、揺動板１９５の支軸２０２に巻装されたバネ部材２１４によって揺動板１９５の方向に付勢されており、、このことにより、先端２１５が前記透孔１９７内に突出する。
第２の押圧片部材１９３は、板状に形成された押圧片２１６と、押圧片２１６の上部に設けられ揺動板１９５の左部より延設された軸受板２０３の軸受部２０５，２０６に軸受けされる支軸２１７と、押圧片２１６の上端から一部２２０が突出するようにして押圧片２１６にネジ固定された板バネ状の弾性片２１９とからなる。押圧片２１６は、略中間部が蓋部材１７０の方向に屈曲して爪状に形成されており、また、軸受板２０３に取り付けられたときにその先端２１８が蓋部材１７０の長孔１８１まで届く長さに形成されている。第２の押圧片部材１９３は、これの支軸２１７の両側が揺動部材１９１の軸受け部２０５，２０６に回動可能に取り付けられていることにより、揺動板１９５および蓋部材１７０に対して揺動可能とされている。揺動部材１９１の揺動軸１９６の両側を蓋部材１７０の右軸受け凹部１８５及び左軸受け凹部１８６に回動可能に取り付けることにより、揺動部材１９１を蓋部材１７０に取り付けられると、第２の押圧片部材１９３の弾性片２１９の、押圧片２１６の上端から突出した一部２２０が前記蓋部材１７０のばね受け片１８７に当接し、ばね受け片１８７の弾性により押圧片２１６は蓋部材１７０の方向に付勢される。このことにより、押圧片２１６の先端２１８が蓋部材１７０の長孔１８１から突出する
蓋部材１７０の左方には、ネジ２２１によってロック片２２２が回動可能に設けられている。ロック片２２２は、反時計方向に回転させると、軸受板２０３と係合し、揺動部材１９１を回動不能とする。揺動部材１９１が回動不能とされると、前記第１の押圧片部材１９２の押圧片２１１の先端２１５が透孔１９７、切り欠き１８０を挿通してコイン収納部１３５内に突出し、第２の押圧片部材１９３の押圧片２１６の先端２１８が長孔１８１を挿通して切替部材１５０の左ガイド部材１６０に圧接する。
図２に示すように、蓋部材１７０の前記挿通孔１７３から挿通した前記回転体９０の中心軸１４５には、円柱状の回転軸２２５が、その中心が中心軸１４５の中心と同一となるようにネジ２２６によって固定して取り付けられている。回転軸２２５には、円板状の被係合部材２２８が回転軸２２５と略直交するように形成されている。被係合部材２２８は、その中心が回転軸２２５の中心と略同じであり、また、一部が直線状に切り欠かれている。当該直線状に切り欠かれた部分は被係合部２３０を形成している。
図１に示すように、蓋部材１７０には、位置決め手段２４０が設けられている。位置決め手段２４０は、細長い平板状の係合部材２３１と第３の弾性部材２４１とからなる。係合部材２３１は、蓋部材１７０の表面に沿って摺動可能なように、上部２３２がネジ２３３によって蓋部材１７０に回動可能に取り付けられ、中間部に直線状の係合縁部２３５が形成され、下部２３６に略Ｌ字状のフック２３７が形成されている。フック２３７には、バネ状の第３の弾性部材２４１の一端２４２が引っ掛けられている。第３の弾性部材２４１の他端２４３は、ネジ２４５によって蓋部材１７０に固定されている。係合部材２３１の係合縁部２３５は、第３の弾性部材２４１によって係合方向（図１における時計方向）に付勢され、前記被係合部材２２８の被係合部２３０に圧接し、回転軸２２５、中心軸１４５、回転体９０を位置決めする。
図２に示すように、回転体９０の回転軸９４は、ケース３の軸受け孔２０に回動可能に軸受けされ、先部９８が軸受け孔２０から突出している。回転体９４の先部９８には、ハンドル２５０が固定して取り付けられている。ハンドル２５０は、略中心に固定軸２５１が形成され、固定軸２５１に取付穴２５２が形成されている。ハンドル２５０は、取付穴２５２を回転体９４の先部９８に回動不能に嵌合し、ネジ２５３により回転体９４の先部９８から抜けないように固定されている。
コイン選別装置１は、回転体９０がケース３の収納室２９に収納され、回転軸９４がケース３の軸受け孔２０に回動可能に軸受けされ、中心軸１４５が蓋部材１７０の挿通孔１７３に回動可能に軸受けされている。回転体９０のガイド軸１０５は、ケース３の凹溝２１内を移動する。図８に示すように、回転体９０は、ガイド片１４８が第１のガイド溝７５及び第２のガイド溝７６に係合して案内され、ケース３内でガタツキが防止されている。切替部材１５０は、ガイドリング１５１が蓋部材１７０の凹部１７１によって回動可能に案内され、回転体９０の係合凸部１２８に、第１の係合凹部１６６が係合して位置決めされている。この状態の時、切替部材１５０の第２のコイン収納部１５４と回転体９０の第１のコイン収納部１４０が重ねられ、第２のコイン収納部１５４と第１のコイン収納部１４０とでコイン収納部１３５が構成されている。回転体９０は、回転軸２２５に形成された被係合部材２２８の被係合部２３０に係合部材２３１の係合縁部２３５が第３の弾性部材２４１によって圧接し、位置決めされている。即ち、回転体９０は、位置決め手段２４０によって、コイン収納部１３５とコイン投入口３５が対向し、コイン投入口３５から投入されたコインＣが直接コイン収納部１３６に収納される位置（初期位置）で位置決めされ、この位置で待機している。
揺動部材１９１は、軸受板２０３がロック片２２２と係合することにより、回動不能にされ、押圧片２１１の先端２１５が透孔１９７、切り欠き１８０を挿通してコイン収納部１３５内に突出し、押圧片２１６の先端２１８が長孔１８１を挿通して切替部材１５０の左ガイド部材１６０に圧接している。
図８の状態、即ち回転体９０が初期位置にある状態において、コイン選別装置１は、ハンドル２５０を回転操作し、回転体９０を一方向（Ｘ方向  反時計方向）に回動すると、係止爪部材（第１の係止部材）４１〜４４の係合縁４７がストッパー片１１５の第１の係止縁１１６を係止するので、これ以上回動させることができない。なお、図９に示すように、係止爪部材（第１の係止部材）４１〜４４の係合縁４７がストッパー片１１５の第１の係止縁１１６を係止する前に、回転体９０の係合片１００の上端１０９が、ケース３の一側６に係合するので、回動させることができない。
コイン投入口３５から正規コインＣと同じ厚みではあるが、外径の小さな不正コインを適正枚数の４枚投入しコイン収納部１３５に収納した場合、この４枚の不正コインによって、係合片１００の上端１０９が装置本体２の一側６と係合しない位置まで移動するので、回転体９０の係合片１００によっては回転体９０の回転が阻止されなくなる。しかし、不正コインの外周縁が、正規コインよりも小さいため、係止爪部材（第１の係止部材）４１〜４４の摺接時に第１の弾性部材５０の弾性に抗して反係止方向に移動させることができず、結局、係止爪部材（第１の係止部材）４１〜４４の係合縁４７がストッパー片１１５の第１の係止縁１１６を係止するので、これ以上回動させることができない。１枚だけが不正コインであり、３枚が正規コインであったとしても、その不正コインに位置する係止爪部材（第１の係止部材）４１〜４４の一つが回動を阻止することができる。
コイン投入口３５から正規コインＣと同じ外径ではあるが、厚みの小さな不正コインを適正枚数の４枚投入しコイン収納部１３５に収納した場合、この４枚の不正コインでは、係合片１００の上端１０９が装置本体２の一側６と係合しない位置まで移動させることができないので、回転体９０の係合片１００によっては回転体９０の回転が阻止される。
コイン投入口３５から正規コインＣを４枚投入すると、コイン収納部１３５内に正規コインＣ４枚が収納される。４枚の正規コインＣは、仕切部材１７５上に載る。即ち、回転体９０が装置本体２のコイン投入口３５と開口８５が対向する初期位置にあるとき、仕切部材１７５がコイン収納部１３５の他端１３７と対向する状態となっているので、コイン投入口３５から投入されたコインＣが仕切部材１７５によってコイン通路１４３に移動することが阻止されて、コイン収納部１３５に保持されそいる。コイン収納部１３５内の正規コイン４枚が前記押圧片２１１の先端２１５によって押圧されることにより、この４枚の正規コインＣを介して、係合片１００の上端１０９が装置本体２の一側６と係合しない位置まで移動させられる。図１０に示すように、ハンドル２５０を回転操作し、回転体９０を一方向（Ｘ方向  反時計方向）に回動すると、４枚の正規コインＣが係止爪部材（第１の係止部材）４１〜４４と摺接し、第１の弾性部材５０の弾性に抗して、係止爪部材（第１の係止部材）４１〜４４を反係止方向に移動させるので、係止爪部材（第１の係止部材）４１〜４４の係合縁４７がストッパー片１１５の第１の係止縁１１６を係止することがなく、回転体９０の回動を阻止しない。
回転体９０が一方向（Ｘ方向  反時計方向）に略９０°回動すると、コイン収納部１３５の左上部ガイド面１２０，１６１が略水平となって、左上部ガイド面１２０，１６１上に４枚の正規コインＣが載る形となり、４枚の正規コインＣが仕切部材１７５から外れ、図１１に示すように、さらに回転体９０が回動すると、回転体９０のガイド片１４８が係止爪部材（第２の係止部材）６２と摺接し、第２の弾性部材６３の弾性に抗して、係止爪部材（第２の係止部材）６２を反係止方向に移動させるので、係止爪部材（第２の係止部材）６２の係止突部６７がガイド片１４８を係止することがなく、回転体９０の回動を阻止しない。図１２に示すように、さらに回転体９０が回動して、回転体９０のガイド片１４８が係止爪部材（第２の係止部材）６２を過ぎると、回転体９０を他方向（Ｙ方向  時計方向）に回動させようとしても、ガイド片が１４８が係止爪部材（第２の係止部材）６２の係止突部６７に係止されるので、回転体９０の他方向（Ｙ方向  時計方向）への回動は阻止される。回転体９０のコイン収納部１３５が下方に傾くと、４枚の正規コインＣが自重によって開口８５を介して第１の排出口（コイン排出口）８１へ落下する。
即ち、回転体９０が装置本体２のコイン投入口３５と開口８５が対向する初期位置にあるとき、および、当該初期位置から一方向に回転されるときには、仕切部材１７５がコイン収納部１３５の他端１３７と対向する状態となることで、コイン投入口３５から投入されたコインＣはコイン通路１４３に移動することが阻止される。このことにより、コインＣはコイン収納部１３５に保持される。回転体９０が初期位置から一方向に９０度以上回転されたときには、コイン収納部１３５に保持されたコインＣが自重によって開口８５を介してコイン排出口８１より排出される。
図１３に示すように、回転体９０が一方向（Ｘ方向  反時計方向）に略２７０°回動すると、ストッパー片１１５の第１の係止縁１１６が係止爪部材（第２の係止部材）６２と摺接し、第２の弾性部材６３の弾性に抗して、係止爪部材（第２の係止部材）６２を反係止方向に移動させるので、係止爪部材（第２の係止部材）６２の係止突部６７がストッパー片１１５を係止することがなく、回転体９０の回動を阻止しない。図８に示すように、回転体９０が一方向（Ｘ方向  反時計方向）に略３６０°回動すると、回転体９０は、位置決め手段２４０によって、コイン収納部１３５がコイン投入口３５と対向して、コイン投入口３５から投入されたコインＣが直接コイン収納部１３５に収納される位置（初期位置）で位置決めされる。
次に正規コインＣの投入枚数を変更する。図１に示すように、ネジ２２１を緩めて、ロック片２２２を時計回転方向に回動すると、ロック片２２２が軸受板２０３から外れ、揺動部材１９１が揺動可能となる。揺動部材１９１を持ち上げて、長孔１８１から指を差し入れ、係合凸部１２８を押圧すると、係合凸部１２８が切替部材１５０の第１の係合凹部１６６から外れる。図６に示すように、この状態で、切替部材１５０を他方向（Ｙ方向  時計方向）に回動すると、係合凸部１２８が第２の係合凹部１６７と係合して、回転体９０が位置決めされる。第２の係合凹部１６７が前記回転体９０の係合凸部１２８に係合すると、第２のコイン収納部１５４が回転体９０の第１のコイン収納部１４０から外れて、左ガイド部材１６０が第１のコイン収納部１４０と重なり、第１のコイン収納部１４０のみでコイン収納部１３５を構成する。このとき、左ガイド部材１６０のガイド縁１６８の外径がコインＣと略同じ外径であることにより、ガイド縁１６８は第１のコイン収納部１４０に収納されるコインＣの外周縁と重なるようになっている。また、第１の押圧片部材１９２の押圧片２１１の先端２１５は、揺動板１９５の透孔１９１、蓋部材１７０の切り欠き１８０、および、左ガイド部材１６０の第１の係合凹部１６６を通じて第１のコイン収納部１４０に突出する。
コイン投入口３５から正規コインＣを２枚投入すると、コイン収納部１３５（第１の収納部１４０）内に正規コインＣ２枚が収納される。２枚の正規コインＣは、仕切部材１７５上に載る。即ち、回転体９０が装置本体２のコイン投入口３５と開口８５が対向する初期位置にあるとき、仕切部材１７５が第１の収納部１４０（コイン収納部１３５）の他端１３７と対向する状態となっているので、コイン投入口３５から投入されたコインＣが仕切部材１７５によってコイン通路１４３に移動することが阻止されて、第１の収納部１４０（コイン収納部１３５）に保持されている。このとき第１の押圧片部材１９２の押圧片２１１の先端２１５により２枚の正規コインＣは係合片１００に圧接され、このことにより、係合片１００の上端１０９が装置本体２の一側６と係合しない位置まで移動する。図１０に示すように、ハンドル２５０を回転操作し、回転体９０を一方向（Ｘ方向  反時計方向）に回動すると、２枚の正規コインＣが係止爪部材（第１の係止部材）４３，４４と摺接し、同時にガイド縁１６８が係止爪部材（第１の係止部材）の４１，４２と摺接する。このことにより、第１の弾性部材５０の弾性に抗して、係止爪部材（第１の係止部材）４１〜４４を反係止方向に移動するので、係止爪部材（第１の係止部材）４１〜４４の係合縁４７がストッパー片１１５の第１の係止縁１１６を係止することがなく、回転体９０の回動を阻止しない。後は、４枚収納時と同様に回転体９０は回動する。
次にコインＣの返却について説明する。コイン投入口３５からコインＣを投入すると、コイン収納部１３５内にコインＣが収納される。コインＣは、仕切部材１７５上に載る。即ち、回転体９０が装置本体２のコイン投入口３５と開口８５が対向する初期位置にあるとき、仕切部材１７５がコイン収納部１３５の他端１３７と対向する状態となっているので、コイン投入口３６から投入されたコインＣが仕切部材１７６によってコイン通路１４３に移動することが阻止されて、コイン収納部１３５に保持されている。係る場合、投入されるコインＣは、正規コインでなくても良く、枚数も適正枚数でなくても構わない。図１４に示すように、ハンドル２５０を回転操作し、回転体９０を他方向（Ｙ方向  時計方向）に回動させると、左上部ガイド面１２０，１６１（切替部材１５０の回動により第１の係合凹部１６６が第１のコイン収納部１４０に重なっている場合は、左上部ガイド面１２０のみ）がコインＣの側部を他方向（Ｙ方向  時計方向）に押していく。このことにより、コインＣは仕切部材１７５上を他方向（Ｙ方向  時計方向）に移動する。回転体９０が他方向（Ｙ方向  時計方向）に略１５°回動した時点で、コインＣは、仕切部材１７５上から外れて自重により落下を開始し、第１のコイン通路１４１、第２のコイン通路１４２を経て、第２の排出口（コイン返却口）８２に落下する。
即ち、回転体９０が初期位置から他方向に回転されるときには、コイン収納部１３５の他端１３７が仕切部材１７５と対向しない状態となる。このことにより、コイン収納部１３５に保持されたコインＣはコイン通路１４３に移動可能とされ、自重によりコイン通路１４３を介して第２の排出口（コイン返却口）８２より排出される。
係止爪部材（第２の係止部材）６２は、回転体９０を初期位置から他方向（Ｙ方向  時計方向）へ回転させてコイン収納部１３５内のコインＣをコイン通路１４３に落下させた後に、回転体９０のストッパー片１１５の第２の係止縁１１７により係止され、このことにより、回転体９０の他方向（Ｙ方向  時計方向）への回転が阻止される。
図８に示すように、回転体９０を一方向（Ｘ方向  反時計方向）に回動して初期位置に復帰させると、回転体９０は、位置決め手段２４０によって、コイン収納部１３５が略真上の位置、コイン投入口３５から投入されたコインＣが直接コイン収納部１３５に収納される位置で位置決めされる。
コイン選別装置１は、カプセル払い出し機等の物品取出機に組み込まれて使用され、コインＣを投入してハンドル２５０を操作して回転体９０を一方向（Ｘ方向  反時計方向）に回動させると、その回転体９０と連動して回転する物品取出機の回転盤がカプセル等の物品を取出口に移送する。コインＣは、第１の排出口（コイン排出口）８１から落下して物品取出機のコイン収納ボックス等に収納される。コイン選別装置１は、コインＣを投入した後、ハンドル２５０を逆操作して回転体９０を他方向（Ｙ方向  時計方向）に回動させると、コインＣは、第２の排出口（コイン返却口）８２から落下して物品取出機のコイン返却口に戻される。
コイン選別装置１は、正規コインＣをコイン投入口３５から適正枚数投入しない場合、ハンドル２５０を操作して回転体９０を回転させようとしても、回転体９０の係止縁１１６が複数の係止部材４１〜４４の内の一つに係止され、回転体９０の回転が阻止される。また、正規コインＣより小さい外径の不正コインを含む複数のコインＣをコイン投入口３５から投入して、コインＣを回転体９０のコイン収納部１３５に収納した場合、ハンドル２５０を操作して回転体９０を回転させようとしても、不正コインの外周縁によって複数の係止部材４１〜４４の内の一つを反係止方向に移動させることができず、結局、回転体９０の係止縁１１６が不正コインの位置にある係止部材４１〜４４に係止され、回転体９０の回転が阻止される。正規コインＣをコイン投入口３５から適正枚数投入して、複数のコインＣを回転体９０のコイン収納部１３５に収納した場合、ハンドル２５０を操作して回転体９０を回転させると、複数の係止部材４１〜４４が、回転体９０の回転時に各正規コインＣの外周縁に摺接して反係止方向に移動させられ、複数の係止部材４１〜４４が回転体９０の係止縁１１６を係止することがないので、回転体９０の回転が可能であり、コイン収納部１３５の複数のコインＣをコイン排出口３６から排出することができる。
回転体９０には、コイン収納部１３５のコイン収納枚数を切り替える切替部材１５０が回動可能に設けられている。コイン収納部１３５は、回転体９０に形成された第１のコイン収納部１４０と、切替部材１５０に形成された第２のコイン収納部１５４とからなる。切替部材１５０は、回転体９０に対して一方向（Ｘ方向  反時計方向）に回動すると、第２のコイン収納部１５４が回転体９０の第１のコイン収納部１４０と重なって、第２のコイン収納部１５４と第１のコイン収納部１４０でコイン収納部１３５を構成し、回転体９０に対して他方向（Ｙ方向  時計方向）に回動すると、第２のコイン収納部１５４が回転体９０の第１のコイン収納部１４０から外れて、第１のコイン収納部１４０のみでコイン収納部１３５を構成するので、コイン収納部１３５の収納枚数を切り替えることができる。このように、コイン選別装置１は、切替部材１５０によって、コインＣの投入枚数を簡単に切り替えることができる。
コイン選別装置１は、切替部材１５０の第２のコイン収納部１５４が回転体９０の第１のコイン収納部１４０から外れて、回転体９０の第１のコイン収納部１４０でコイン収納部１３５を構成している時に、切替部材１５０のガイド縁１６８が回転体９０の回転時に係止部材４１〜４４と摺接して係止部材４１〜４４を反係止方向に移動させ、係止部材４１〜４４を回転体９０の係止縁１１６に係止させないようにすることができる。
コイン選別装置１は、正規コインＣがコイン収納部１３５に適正枚数収納されていない場合又は正規コインＣと厚みの異なる不正コインがコイン収納部１３５に収納されている場合、回転体９０の回転時に係合片１００が装置本体２の一側６と係合して回転体９０の回転を阻止し、正規コインＣがコイン収納部１３５に適正枚数収納されている場合、コインＣが係合片１００を反係合方向に移動させ、回転体９０の回転時に係合片１００が装置本体２の一側と係合せず回転体９０の回転を阻止しないようにすることができる。このように、コイン選別装置１は、コインＣの厚みも検出することができる。
コイン選別装置１は、切替部材１５０を回転体９０に対して一方向（Ｘ方向  反時計方向）に回動させ、切替部材１５０の第２のコイン収納部１５４を回転体９０の第１のコイン収納部１４０に重ねて、第２のコイン収納部１５４と第１のコイン収納部１４０でコイン収納部１３５を構成した時に、係合凸部１２８又は係合凹部と第１の係合凹部１６６又は第１の係合凸部が係合して切替部材１５０の位置決めをすることができ、切替部材１５０を回転体９０に対して他方向（Ｙ方向  時計方向）に回動させ、切替部材１５０の第２のコイン収納部１５４を回転体９０の第１のコイン収納部１４０から外して、第１のコイン収納部１４０でコイン収納部１３５を構成した時に、係合凸部１２８又は係合凹部と第２の係合凹部１６７又は第２の係合凸部が係合して切替部材１５０の位置決めをすることができる。このように、コイン選別装置１は、切替部材１５０の切り替えた位置を確実に保持することができる。
コイン選別装置１は、コイン投入口３５から投入されたコインＣが初期位置で待機している回転体９０のコイン収納部１３５に収納されるようになっている。コインＣが回転体９０のコイン収納部１３５に収納されると、コイン収納部１３５とコイン通路１４３を仕切る仕切部材１７５によってコインＣがコイン通路１４３への落下が阻止され、コイン収納部内に保持される。正規コインＣをコイン投入口３５から投入しない場合、又は正規コインＣより小さい外径の不正コインをコイン投入口３５から投入した場合、ハンドル２５０を操作して回転体９０を初期位置から一方向（Ｘ方向  反時計方向）に回転させようとしても、回転体９０の第１の係止縁１１６が第１の係止部材４１〜４４に係止され、回転体９０の一方向（Ｘ方向  反時計方向）への回転が阻止される。正規コインＣをコイン投入口３５から投入して、正規コインＣを回転体９０のコイン収納部１３５に収納した場合、ハンドル２５０を操作して回転体９０を初期位置から一方向（Ｘ方向  反時計方向）に回転させると、第１の係止部材４１〜４４が、回転体９０の一方向（Ｘ方向  反時計方向）の回転時に正規コインＣの外周縁に摺接して反係止方向に移動させられ、第１の係止部材４１〜４４が回転体９０の第１の係止縁１１６を係止することがないので、回転体９０の一方向（Ｘ方向  反時計方向）への回転が可能であり、コイン収納部１３５内のコインＣが仕切部材１７５に案内されてコイン排出口３６から排出することができる。コインＣが回転体９０のコイン収納部１３５に収納された状態で、ハンドル２５０を操作して回転体９０を初期位置から他方向（Ｙ方向  時計方向）に回転させると、コインＣが仕切部材１７５から外れ、コイン通路１４３に落下し、コイン排出口３６からコインＣが排出される。このように、コイン選別装置１は、回転体９０を一方向（Ｘ方向  反時計方向）に回転させると物品を取りだすことができ、回転体９０を他方向（Ｙ方向  時計方向）に回転させるとコインＣを返却させることができ、返却ボタン等の複雑な機構を必要とせず、安価に製造することができる。
コイン選別装置１は、第２の係止部材６２が、回転体９０を初期位置から他方向（Ｙ方向  時計方向）へ回転させてコイン収納部１３５内のコインＣをコイン通路１４３に落下させた後に、回転体９０の第２の係止縁１１７を係止して回転体９０の他方向（Ｙ方向  時計方向）への回転を阻止するので、過剰な逆回転を防止することができる。コイン選別装置１は、位置決め手段２４０が回転体９０を初期位置で位置決めすることができるので、回転体９０が不用意に回転せず、常に初期位置で待機させることができる。
コイン選別装置の他の実施の形態を説明する。コイン選別装置３０１は、装置本体３０２を有する。図１５，１６に示すように、装置本体３０２は、上部にコイン投入口５０２が形成され、下部にコイン排出口５７１が形成され、内部にハンドル６００によって操作される回転体３９０が回転可能に設けられている。図１７に示すように、回転体３９０には、コイン投入口５０２から投入されたコインＣを複数枚重ねて収納可能なコイン収納部４８１が形成されている。装置本体３０２には、コインＣの枚数に対応した複数の係止部材３４１〜３４４が設けられている。
図１９に示すように、複数の係止部材３４１〜３４４は、それぞれ弾性部材３５０によって係止方向に付勢されており、正規コインＣがコイン収納部４８１に適正枚数収納されていない場合又は正規コインＣより小さい外径の不正コインがコイン収納部４８１に収納されている場合、回転体３９０の回転時に回転体３９０の係止縁４９１を係止して回転体３９０の回転を阻止する。
図２１に示すように、複数の係止部材３４１〜３４４は、正規コインＣがコイン収納部４８１に適正枚数収納されている場合、回転体３９０の回転時に各正規コインＣの外周縁が摺接して反係止方向に移動させられ、回転体３９０の係止縁４９１を係止することなく回転体３９０の回転を可能とし、コイン収納部４８１の複数のコインＣをコイン排出口５７１から排出できるように構成されている。
図１８に示すように、前記回転体３９０のコイン収納部４８１には、コイン収納枚数を変更する変更部材５８０を取り付ける取付部４２２が形成されている。図１６に示すように、当該変更部材５８０は、装置本体３０２の一側に着脱可能に取り付けられている。
また、コイン選別装置３０１の装置本体３０２は、上部にコイン投入口５０２が形成され、下部にコイン排出口５７１及びコイン返却口３２５が形成され、内部にハンドル６００によって操作される回転体３９０が回転可能に設けられている。図２０に示すように、回転体３９０は、コイン収納部４８１を有し、コイン投入口５０２から投入されたコインＣがコイン収納部４８１に収納される初期位置で待機している。図１７に示すように、装置本体３０２には、第１の係止部材３４１〜３４４が第１の弾性部材３５０によって係止方向に付勢されて設けられている。
図１９に示すように、第１の係止部材３４１〜３４４は、コインＣがコイン収納部４８１に収納されていない場合又は正規コインＣより小さい外径の不正コインがコイン収納部４８１に収納されている場合、回転体３９０の初期位置から一方向（Ｘ方向  反時計方向）への回転時に回転体３９０の第１の係止縁４９１を係止して回転体３９０の回転を阻止する。
図２１に示すように、第１の係止部材３４１〜３４４は、正規コインＣがコイン収納部４８１に収納されている場合、回転体３９０の初期位置から一方向（Ｘ方向  反時計方向）への回転時に正規コインＣの外周縁が摺接して反係止方向に移動させられ、回転体３９０の第１の係止縁４９１を係止することなく回転体３９０の一方向（Ｘ方向  反時計方向）への回転を可能とし、図２２に示すように、コイン収納部４８１内のコインＣをコイン排出口６７１から排出できるように構成されている。
図２０に示すように、回転体３９０には、前記コイン収納部４８１と連通し、コイン返却口３２５にコインＣを落下させるコイン通路４８２が形成されている。装置本体３０２には、コイン収納部４８１とコイン通路４８２の間を仕切る仕切部材３９５，３９６が設けられている。
図２１に示すように、仕切部材３９５，３９６は、回転体３９０の初期位置から一方向（Ｘ方向  反時計方向）への回転時に、コイン収納部４８１とコイン通路４８２の間を仕切り、コイン収納部４８１内のコインＣがコイン通路４８２に落下するのを阻止し、図２３に示すように、回転体３９０の初期位置から他方向（Ｙ方向  時計方向）への回転時に、コイン収納部４８１とコイン通路４８２の間を仕切らなくなり、コイン収納部４８１内のコインＣがコイン通路４８２に落下してコイン返却口３２５から返却されるように形成されている。
図２０に示すように、前記回転体３９０には、前記コイン収納部４８１と連通し、コイン返却口３２５にコインＣを落下させるコイン通路４８２が形成され、さらに、コイン収納部４８１とコイン通路４８２の間を仕切る仕切部材３９５，３９６が設けられている。仕切部材３９５，３９６は、コインＣの落下を阻止する仕切位置Ｐ１と、コインＣの落下を阻止しない非仕切位置Ｐ２に移動可能であって、第４の弾性部材４０７，４１７によって仕切位置Ｐ１側に付勢されている。
図２１に示すように、装置本体３０２には、回転体３９０の初期位置から一方向（Ｘ方向  反時計方向）への回転時に、仕切位置Ｐ１の仕切部材３９５，３９６と係合せず、コイン収納部４８１内のコインＣがコイン通路４８２に落下するのを阻止し、図２３に示すように、回転体３９０の初期位置から他方向（Ｙ方向  時計方向）への回転時に、仕切位置Ｐ１の仕切部材３９５，３９６と係合して仕切部材３９５，３９６を第４の弾性部材４０７，４１７の弾性に抗して非仕切位置Ｐ２に移動させ、コイン収納部４８１内のコインＣをコイン通路４８２に落下させ、コイン返却口３２５からコインＣを返却させる係合部材３３１，３３１が設けられている。
図２０に示すように、回転体３９０には、前記コイン収納部４８１と連通し、コイン返却口３２５にコインＣを落下させるコイン通路４８２が形成され、さらに、コイン収納部４８１とコイン通路４８２の間に一対のコインストッパー３９５，３９６が設けられている。一対のコインストッパー３９５，３９６は、コインＣの落下を阻止する閉じる位置Ｐ１と、コインＣの落下を阻止しない開く位置Ｐ２に移動可能であって、第４の弾性部材４０７，４１７によって閉じる方向に付勢されている。
図２１に示すように、装置本体３０２には、回転体３９０の初期位置から一方向（Ｘ方向  反時計方向）への回転時に、閉じた状態の一対のコインストッパー３９５，３９６と係合せず、コイン収納部４８１内のコインＣがコイン通路４８２に落下するのを阻止し、図２３に示すように、回転体３９０の初期位置から他方向（Ｙ方向  時計方向）への回転時に、閉じた状態の一対のコインストッパー３９５，３９６と係合して一対のコインストッパー３９５，３９６を第４の弾性部材４０７，４１７の弾性に抗して開く位置Ｐ２に移動させ、コイン収納部４８１内のコインＣをコイン通路４８２に落下させ、コイン返却口３２５からコインＣを返却させる係合部材３３１，３３１が設けられている。
図２０に示すように、装置本体３０２には、第２の係止部材３６２が第２の弾性部材３６３によって係止方向に付勢されて設けられている。
図２３に示すように、第２の係止部材３６２は、回転体３９０を初期位置から他方向（Ｙ方向  時計方向）へ回転させてコイン収納部４８１内のコインＣをコイン通路４８２に落下させた後に、回転体３９０の第２の係止縁４３０を係止して回転体３９０の他方向（Ｙ方向  時計方向）への回転を阻止するように形成されている。図１６に示すように、コイン選別装置３０１の装置本体３０２には、前記回転体３９０を初期位置で位置決めする位置決め手段５５０が設けられている。
位置決め手段５５０は、回転体３９０又は回転体３９０の略中心に設けられた回転軸４７２に形成された被係合部４７３に係合する係合部材５５１と、係合部材５５１を係合方向に付勢する第３の弾性部材５７０とからなる。
コイン選別装置３０１は、上部にコイン投入口５０２が形成され、下部にコイン排出口５７１およびコイン返却口３２５が形成された装置本体３０２と、前記装置本体３０２内に回転可能に設けられた回転体３９０と、前記回転体３９０の外側縁に設けられた開口４４１と、前記回転体３９０に設けられ、一端４４２が前記開口４４１と連通するコイン収納部４８１と、前記回転体３９０に設けられ、前記コイン収納部４８１の他端４４９と一端４４５にて連通し、他端４４６にて前記回転体３９０の外部に連通するコイン通路４８２と、前記回転体３９０に設けられた、コイン収納部４８１とコイン通路４８２の間を仕切る仕切部材３９５，３９６であって、コインＣの落下を阻止する仕切位置Ｐ１と、コインＣの落下を阻止しない非仕切位置Ｐ２に移動可能であり、第４の弾性部材４０７，４１７によって仕切位置Ｐ１側に付勢された仕切部材３９５，３９６と、前記装置本体３０２に設けられ、回転体３９０の初期位置から一方向（Ｘ方向  反時計方向）への回転時に、仕切位置Ｐ１の仕切部材３９５，３９６と係合せず、コイン収納部４８１内のコインＣがコイン通路４８２に落下するのを阻止し、回転体３９０の初期位置から他方向（Ｙ方向  時計方向）への回転時に、仕切位置Ｐ１の仕切部材３９５，３９６と係合して仕切部材３９５，３９６を第４の弾性部材４０７，４１７の弾性に抗して非仕切位置Ｐ２に移動させ、コイン収納部４８１内のコインＣをコイン通路４８２に落下させ、コイン返却口３２５からコインＣを返却させる係合部材３３１，３３１とを有する。
コイン選別装置３０１は、前記回転体３９０が前記装置本体３０２のコイン投入口５０２と前記開口４４１が対向する初期位置にあるとき、および、当該初期位置から一方向（Ｘ方向  反時計方向）に回転されるときには、前記仕切部材３９５，３９６が前記係合部材３３１，３３１と係合せずに仕切位置Ｐ１にあることで、前記コイン投入口５０２から投入されたコインＣは前記コイン通路４８２に移動することが阻止されることにより、前記コイン収納部４８１に保持され、前記回転体３９０が初期位置から一方向（Ｘ方向  反時計方向）に９０度以上回転されたときには、前記コイン収納部４８１に保持されたコインＣは自重によって前記開口４４１を介して前記コイン排出口５７１より排出され、前記回転体３９０が初期位置から他方向（Ｙ方向  時計方向）に回転されるときには、前記仕切部材３９５，３９６が前記係合部材３３１，３３１と係合して非仕切位置Ｐ２に移動することで、前記コイン収納部４８１に保持されたコインＣは前記コイン通路４８２に移動可能とされ、自重により前記コイン通路４８２を介して前記コイン返却口３２５より返却されるように形成されている。
コイン選別装Ｒ３０１は、上部にコイン投入口５０２が形成され、下部にコイン排出口５７１およびコイン返却口３２５が形成された装置本体３０２と、前記装置本体３０２内に回転可能に設けられた回転体３９０と、前記回転体３９０の外側縁に設けられた開口４４１と、前記回転体３９０に設けられ、一端４４２が前記開口４４１と連通するコイン収納部４８１と、前記回転体３９０に設けられ、前記コイン収納部４８１の他端４４３と一端４４５にて連通し、他端４４６にて前記回転体３９０の外部に連通するコイン通路４８２と、前記回転体３９０に設けられた、コイン収納部４８１とコイン通路４８２の間を閉じる一対のコインストッパー３９５，３９６であって、コインＣの落下を阻止する閉じる位置Ｐ１と、コインＣの落下を阻止しない開く位置Ｐ２に移動可能であり、第４の弾性部材４０７，４１７によって閉じる方向に付勢された一対のコインストッパー３９５，３９６と、前記装置本体３０２に設けられ、回転体３９０の初期位置から一方向（Ｘ方向  反時計方向）への回転時に、閉じた状態の一対のコインストッパー３９６，３９６と係合せず、コイン収納部４８１内のコインＣがコイン通路４８２に落下するのを阻止し、回転体３９０の初期位置から他方向（Ｙ方向  時計方向）への回転時に、閉じた状態の一対のコインストッパー３９５，３９６と係合して一対のコインストッパー３９５，３９６を第４の弾性部材４０７，４１７の弾性に抗して開く位置Ｐ２に移動させ、コイン収納部４８１内のコインＣをコイン通路４８２に落下させ、コイン返却口５７１からコインＣを返却させる係合部材３３１，３３１とを有する。
コイン選別装置３０１は、前記回転体３９０が前記装置本体３０２のコイン投入口５０２と前記開口４４１が対向する初期位置にあるとき、および、当該初期位置から一方向（Ｘ方向  反時計方向）に回転されるときには、前記一対のコインストッパー３９５，３９６が前記係合部材３３１，３３１と係合せずに閉じる位置Ｐ１にあることで、前記コイン投入口５０２から投入されたコインＣは前記コイン通路４８２に移動することが阻止されることにより、前記コイン収納部４８１に保持され、前記回転体３９０が初期位置から一方向（Ｘ方向  反時計方向）に９０度以上回転されたときには、前記コイン収納部４８１に保持されたコインＣは自重によって前記開口４４１を介して前記コイン排出口５７１より排出され、前記回転体３９０が初期位置から他方向（Ｙ方向  時計方向）に回転されるときには、前記一対のコインストッパー３９５，３９６が前記係合部材３３１，３３１と係合して開く位置Ｐ２に移動することで、前記コイン収納部４８１に保持されたコインＣは前記コイン通路４８２に移動可能とされ、自重により前記コイン通路４８２を介して前記コイン返却口３２５より返却されるように形成されている。
さらに具体的に説明する。図１５，１６に示すように、コイン選別装置３０１は、矩形箱状に形成された装置本体３０２を有する。図１７に示すように、装置本体３０２は、ケース３０３と、ケース３０３の後部にネジ等の固定手段３０５によって取り付けられる蓋部材５００とからなり、内部に回転体３９０が回転可能に設けられている。ケース３０３は、前壁３１１と、前壁３１１の上部に形成された上壁３１２と、前壁３１１の左部に形成された左壁３１３と、前壁３１１の右部に形成された右壁３１４と、前壁３１１の下部に形成された下壁３１８とを有し、後部が開放されている。ケース３０３の後部開放部３０４は、前記した蓋部材５００によって塞がれる。上壁３１２、左壁３１３、右壁３１４及び下壁３１８の前後方向の高さは、略同じとなるように形成されている。
図１５に示すように、前壁３１１の前面３１５には、断面が略コ字状であり、環状の凸起帯３１６によって円形の凹部３１７が形成されている。図１７に示すように、前壁３１１であって、前記円形の凹部３１７の略中心には、軸受け孔３２０が形成されている。上壁３１２の略中間部には、略逆台形状の凹部３２１が形成されている。図１６に示すように、下壁３１８の略中間部には、コイン返却凹部３２３を備えたコイン返却部３２２が形成されている。前壁３１１の下部には、コイン返却凹部３２３と連通するコイン返却口３２５が形成されている。図１７に示すように、前壁３１１の後面３２６には、前記コイン返却口３２５にコインＣをガイドするガイド部材３３５がネジ等の固定手段３３６よって取り付けられている。
前壁３１１の後面３２６であって、前記軸受け孔３２０の周縁には、環状のガイド３３０が形成されそいる。ガイド３３０の外側端には、一対の係合部材３３１，３３１が対向して設けられている。係合部材３３１は、ガイド３３０の外側端に突出して設けられ、略三角状に形成されている。一対の係合部材３３１，３３１の頂点を結ぶ線Ｌ１は、垂直線Ｌに対して所定角度αだけ傾いている。本実施の形態では、αは略６０°である。
前壁３１１の後面３２６には、前記軸受け孔３２０を略中心とする、半円状の案内壁３２７が設けられている。図１９，２０に示すように、案内壁３２７は、下壁３１８近傍に位置する右端３２８から上壁３１２近傍に位置する左端３２９まで形成されている（以下、本実施例における「右」、「左」はいずれも後面３２６の方向から見た場合の「右」、「左」を指すものとする。）。
図１７，１９示すように、前記案内壁３２７の左上部分には、切り欠き部３３２が形成されている。当該切り欠き部３３２近傍には、第１の取付部３３３が形成されている。第１の取付部３３３には、４枚の係止爪部材（第１の係止部材）３４１〜３４４と、各係止爪部材（第１の係止部材）３４１〜３４４をそれぞれ付勢する第１の弾性部材３５０が設けられている。係止爪部材（第１の係止部材）３４１〜３４４は、細長い板状に形成され、下端部に軸部３４５が形成され、上端部に係合縁３４６が形成され、上端部の下部側に係止突部３４７が形成されている。第１の弾性部材３５０は、金属板によって形成され、下部３５５が略Ｖ字状に折曲され、上部が４つに切り離されて４つの弾性片３５１〜３５４が形成されている。
図１７，１９に示すように、前記第１の取付部３３３は、切り欠き部３３２の下方に位置する略Ｃ字状の軸受け部３５７と略コ字状の差し込み凹部３５９とを有する。前記係止爪部材（第１の係止部材）３４１〜３４４は、重ねられて、軸部３４５が軸受け部３５７に回動可能に取り付けられている。前記第１の弾性部材３５０は、略Ｖ字状の下部３５５が差し込み凹部３５９に差し込まれて取り付けられ、４つの弾性片３５１〜３５４が夫れ夫れ個々に係止爪部材（第１の係止部材）３４１〜３４４に当接して、係止爪部材（第１の係止部材）３４１〜３４４をケース３０３の内側に向かって付勢する。第１の弾性部材３５０によって付勢された係止爪部材（第１の係止部材）３４１〜３４４は、係合縁３４６が切り欠き部３３２の上部に形成された係合突起３３９に当接し、係止突部３４７が切り欠き部３３２から内側に突出する。
前記案内壁３２７の右下端３２８近傍には、切り欠き部３６０が形成されている。当該切り欠き部３６０近傍には、第２の取付部３６１が形成されている。第２の取付部３６１には、１枚の係止爪部材（第２の係止部材）３６２と、係止爪部材（第２の係止部材）３６２を付勢する第２の弾性部材３６３が設けられている。係止爪部材（第２の係止部材）３６２は、細長い板状に形成され、下部に軸部３６５が形成され、上端部に係合縁３６６が形成され、上端部の左側に係止突部３６７が形成されている。第２の弾性部材３６３は、金属板によって形成され、下部３６９が略Ｖ字状に折曲されて形成されている。
前記第２の取付部３６１は、切り欠き部３６０の下方に位置する略Ｃ字状の軸受け部３７０と略コ字状の差し込み凹部３７１とを有する。前記係止爪部材（第２の係止部材）３６２は、軸部３６５が軸受け部３７０に回動可能に取り付けられている。前記第２の弾性部材３６３は、略Ｖ字状の下部３６９が差し込み凹部３７１に差し込まれて取り付けられ、上部３６８が係止爪部材（第２の係止部材）３６２に当接してケース３０３の内側に向かって付勢する。第２の弾性部材３６３によって付勢された係止爪部材（第２の係止部材）３６２は、係合縁３６６が切り欠き部３６０の上縁３７２に当接し、係止突部３６７が切り欠き部３６０から内側に突出する。
図１７，１８に示すように、回転体３９０は、円板状の基板３９１と、基板３９１の後面３９２（前壁３１１の後面３２６と当接しない面）に、ネジ等の固定手段４７９によって取り付けられる案内部材４５０とを有する。基板３９１の前面３９３の略中心には、前記ケース３０３の軸受け孔３２０に回動可能に挿設される回転軸３９４が設けられている。また、基板３９１の前面３９３には、回転軸３９４を挟んだ両側に一対の保持アーム３９５，３９６が設けられている。保持アーム３９５，３９６は、内側に向かって突出するように屈曲しており、下部に中心軸３９７，３９８が設けら、上部にストッパーピン４０１，４０２が設けられている。
右側に位置する保持アーム３９５は、基板３９１の右側下部に形成された中心孔４０３に中心軸３９７が回動可能に挿設され、基板３９１の右側上部に形成された長孔４０５にストッパーピン４０１が基板３９１の後面３９２側に突出するようにして、基板３９１の前面３９３に揺動可能に取り付けられている。また、保持アーム３９５は、基板３９１の前面３９３右側に形成された略コ字状のバネ受け部４０６に一方４０８が取り付けられたバネ（第４の弾性部材）４０７の他端４０９が当接し、当該バネ（第４の弾性部材）４０７の弾性により内側に付勢され、前記ストッパーピン４０１が長孔４０５の内側縁４１１に圧接している。このストッパーピン４０１の内側縁４１１に圧接している位置が、保持アーム３９５の閉じた位置（仕切位置）Ｐ１である。
左側に位置する保持アーム３９６は、基板３９１の左側下部に形成された中心孔４１３に中心軸３９８が回動可能に挿設され、基板３９１の左側上部に形成された長孔４１５にストッパーピン４０２が基板３９１の後面３９２側に突出するようにして、基板３９１の前面３９３に揺動可能に取り付けられている。また、保持アーム３９６は、基板３９１の前面３９３左側に形成された略コ字状のバネ受け部４１６に一方４１８が取り付けられたバネ（第４の弾性部材）４１７の他端４１９が当接し、当該バネ（第４の弾性部材）４１７の弾性により内側に付勢され、前記ストッパーピン４０２が長孔４１５の内側縁４２１に圧接している。このストッパーピン４０２の内側縁４２１に圧接している位置が、保持アーム３９６の閉じた位置（仕切位置）Ｐ１である。
保持アーム３９５は、ストッパーピン４０１を取り付けた上部アーム４３４と、中心軸３９７を取り付けた下部アーム４３５とからなる。上部アーム４３４は、バネ（第４の弾性部材）４０７と略直角となるように、下部アーム４３５に折曲されて連設されている。とからなる。保持アーム３９６は、ストッパーピン４０２を取り付けた上部アーム４３６と、中心軸３９８を取り付けた下部アーム４３７とからなる。上部アーム４３６は、バネ（第４の弾性部材）４１７と略直角となるように、下部アーム４３７に折曲されて連設されている。前記保持アーム３９５の上部アーム４３４と前記保持アーム３９６の上部アーム４３６は、略平行に取り付けられている。
このストッパーピン４０１とストッパーピン４０２との間隔は、通常はバネ（第４の弾性部材）４０７，４１７の弾性により閉じた状態でコインＣの外径より狭くなっており、バネ（第４の弾性部材）４０７，４１７の弾性に抗して開いた状態となるとコインＣの外径より拡くなりコインＣの通過を許容することができる。
前記保持アーム３９５，３９６は、基板３９１の略中心線（垂直線）Ｌに対して略対称的に設けられている。基板３９１の略中心線Ｌ上であって、基板３９１の上端縁近傍には、雌ネジ部（取付部）４２２が形成されている。当該雌ネジ部（取付部）４２２は、ストッパーピン４０１とストッパーピン４０２の略中間に位置している。又、基板３９１の後面３９２の略中心線（垂直線）Ｌ上であって、ストッパーピン４０１，４０２の下方には、ガイド突起４３８が形成されている。ガイド突起４３８の上面４３９は、後方に向かって下降傾斜している。
基板３９１の略中間部左右両側には、略矩形状の位置決め孔４２５，４２６が形成されている。また、基板３９１の下部には、略台形状のコイン落下口４２８が形成されている。基板３９１の外周縁には、右側上部の略中心線から約６０°の位置に基板３９１の厚みと略同じ厚みのストッパー４３１が形成されている。また、基板３９１の外周縁には、基板３９１の厚みと略同じ厚みの逆転防止突起４３２が略３０°の所定間隔をあけて複数形成されている。最初の逆転防止突起４３２は、左側上部の略中心線から約４５°の位置に設けられている。
案内部材４５０は、基板３９１と略同じ外径を有し、コインＣを収納するコイン収納部４８１と、コイン収納部４８１と連通するコイン通路４８２を有する。案内部材４５０は、後面４５１から前面４５２にまで連通する切り欠き部４５３が形成されている。切り欠き部４５３は、上下方向に延びるように形成され、左上部に左案内面４５５を有し、右上部に左案内面４５５と対向する右案内面４５６を有する。左案内面４５５及び右案内面４５６の厚みは、コインＣを４枚を重ねた厚みと略同じである。コインＣは、左案内面４５５と右案内面４５６によって、上下方向に移動できるように案内される。左案内面４５６と右案内面４５６の間に、コインＣを収納するコイン収納部４８１が形成される。
左案内面４５５には、内側に向かって開口が形成された略Ｕ字状の凹部４５７が形成され、当該凹部４５７内に前記ストッパーピン４０２が入り込めるようになっている。右案内面４５６には、内側に向かって開口が形成された略Ｕ字状の凹部４５８が形成され、当該凹部４５８内に前記ストッパーピン４０１が入り込めるようになっている。
案内部材４５０の切り欠き部４５３は、左中間部に左湾曲面４６１を有し、右中間部に左湾曲面４６１と対向する右湾曲面４６２を有する。左湾曲面４６１は、上端が左案内面４５５の下端と連接している。右湾曲面４６２は、上端が右案内面４５６の下端と連接している。左湾曲面４６１の前面４５２側には、前記基板３９１の略中間部左側に形成された位置決め孔４２６に嵌合する嵌合片４６３が形成されている。嵌合片４６３の内側端には、後面４５１側に突出する脚片４６４が形成されている。脚片４６４は、左案内面４５５及び右案内面４５６と略同じ高さに形成され、内側に中間案内面４６５が形成されている。
右湾曲面４６２の前面４５２側には、前記基板３９１の略中間部右側に形成された位置決め孔４２５に嵌合する嵌合片４６７が形成されている。嵌合片４６７の内側端には、後面４５１側に突出する脚片４６９が形成されている。脚片４６９は、左案内面４５５及び右案内面４５６と略同じ高さに形成され、内側に中間案内面４７０が形成されている。コインＣは、前記脚片４６４の中間案内面４６６と脚片４６９の中間案内面４７０によって、上下方向に移動できるように案内される。中間案内面４６５と中間案内面４７０の間に、コインＣを通過させるコイン通路４８２が形成される。図１７に示すように、前記脚片４６４と脚片４６９の上端には、案内部材４５０の中心を略中心とする円形の回転軸４７２が一体で形成されている。回転軸４７２は、後部の一部が切り欠かれ、係合面４７３が形成されいる。係合面４７３は、平面状であって、上下方向に伸びるように形成されている。
図１８に示すように、案内部材４５０の切り欠き部４５３は、下部に前記基板３９１の下部に形成された略台形状のコイン落下口４２８と略同形状に形成された開口４７５を有し、下端にコインＣをコイン落下口４２８側に案内する傾斜面４７６が形成されている。開口４７５は、前記コイン通路４８２と連通し、コイン通路４８２を落下するコインＣが通過するようになっている。
回転体３９０は、基板３９１に案内部材４５０がネジ等の固定手段４７９により一体的に取り付けられて形成されている。回転板３９０は、左案内面４５５、右案内面４５６及び基板３９１の後面３９２によってコイン収納部４８１が形成され、中間案内面４６５，４７０及び基板３９１の後面３９２によってコイン通路４８２が形成される。前記ストッパーピン４０１及びストッパーピン４０２は、バネ（第４の弾性部材）４０７，４１７によって閉じた状態でコイン収納部４８１とコイン通路４８２の間（閉じた位置Ｐ１）に位置しており、コイン収納部４８１内のコインＣがコイン通路４８２に落下するのを阻止する。前記案内部材４５０は、外周縁に係止面４９１を有するストッパー片４９０が形成されている。係止面４９１は、前記右案内面４５６とで略同じ面を形成している。
図１６，１７に示すように、蓋部材５００は、前記回転体３９０の回転軸４７２を挿通する挿通孔５０１が形成されている。蓋部材６００は、上端略中央に略コ字状のコイン投入口５０２が形成されている。蓋部材５００は、コイン収納部４８１と対向する位置に、円形の透孔５０３が形成されている。蓋部材５００の後面５０８であって、透孔５０３の上部の位置には、軸受け部５０７が形成され、軸受け部５０７には、左右に一対の軸受けピン５０５，５０６が設けられている。軸受け部５０７の上部には、雌ネジ部５１１が形成されたボス５１０が突設されている。
蓋部材５００には、透孔５０３からコイン収納部４８１内に突出する第１の押圧部材５１５が設けられている。第１の押圧部材５１５は、アーム部５１６と、アーム部５１６の上部に形成された支軸５１７と、アーム部５１６の下部に形成された押圧突起５１８と、アーム部５１６の上部に設けられた被押圧凸部５１９とからなる。第１の押圧部材５１５は、支軸５１７が前記軸受け部５０７の軸受けピン５０５，５０６に回動可能に支持され、押圧突起５１８が透孔５０３を挿通してコイン収納部４８１内に突出するようになっている。前記第１の押圧部材５１５の支軸５１７は、前記軸受け部５０７の軸受けピン５０５，５０６から外れないようにするため、押さえ部材５２１によって押さえられている。押さえ部材５２１は、前記第１の押圧部材５１５の被押圧凸部５１９を挿通する略逆Ｕ字状の切り欠き５２２と、前記第１の押圧部材５１５の被押圧凸部５１９を押圧する板バネ５２３の両側を規制する一対の規制突起５２５，５２６と、一対の規制突起５２５，５２５間に形成されたネジ通し孔５２６とを有する。板バネ５２３は、上部にネジ通し孔５２７が形成されている。板バネ５２３及び押さえ部材５２１は、板バネ５２３のネジ通し孔５２７及び押さえ部材５２１のネジ通し孔５２６に順番に通したネジ５２９をボス５１０の雌ネジ部５１１に螺合することによって、蓋部材５００に固定して取り付けられている。第１の押圧部材５１５は、被押圧凸部５１９が板バネ５２３に当接して位置決めされ、押圧突起５１８が透孔５０３からコイン収納部４８１内に突出した状態で保持されている。
蓋部材５００は、透孔５０３の左側に長孔５３１が形成されている。蓋部材５００の後面５０８であって、長孔５３１の下部には、板バネ５３９を取り付ける凹部５３２が形成された凸段部５３５が設けられている。凸段部５３５の上部両側には、軸受けピン５３６が設けられ、軸受けピン５３６と凸段部５３５によって軸受け部５３７が形成される。凹部５３２には、雌ネジ部５３３が形成されている。
蓋部材５００の後面５０８には、長孔５３１から装置本体３０２内に突出する第２の押圧部材５４１が設けられている。第２の押圧部材５４１は、アーム部５４２と、アーム部５４２の下部に形成された支軸５４３とからなる。第２の押圧部材５４１は、支軸５４３が前記軸受け部５３７に回動可能に支持され、アーム部５４２の先端５４４が装置本体３０２内に突出可能となっている。前記第２の押圧部材５４１の支軸５４３は、前記軸受け部５３７から外れないようにするため、板バネ５３９によって押さえられている。板バネ５３９は、下部にネジ通し孔５３４が形成されている。板バネ５３９は、ネジ通し孔５３４に通したネジ５２９を雌ネジ部５８３に螺合することによって、凹部５３２に固定して取り付けられている。第２の押圧部材５４１は、板バネ５３９に当接して位置決めされ、アーム５４２の先端５４４が長孔５３１から装置本体３０２内に突出した状態で保持されている。
図１６，１７に示すように、蓋部材５００の後面５０８には、位置決め手段５５０が設けられている。位置決め手段５５０は、係合部材５５１と第３の弾性部材５７０とからなる。係合部材５５１は、係合板５５２と、係合板５５２の上端に設けられた上ガイド板５５３と、係合板５５２の下端に設けられた下ガイド板５５５と、上ガイド板５５３の下側に形成された上摺動板５５６と、下ガイド板５５５の上側に形成された下摺動板５５７とを有する。上摺動板５５６には、左右方向に長く形成された長孔５６１が形成されている。下摺動板５５７には、左右方向に長く形成された長孔５６２が形成されている。
蓋部材５００には、係合部材５５１の上ガイド板５５３と摺接する上案内板５６４と、係合部材５５１の下ガイド板５５５と摺接する下案内板５６５と、上摺動板５５６の長孔５６１に係合する係合ボス５６６と、下摺動板５５７の長孔５６２に係合する係合ボス５６７と、バネ状の第３の弾性部材５７０の一端を受け止める略コ字状の受け部５６８が立設されている。係合部材５５１は、上案内板５６４と下案内板５６５によって左右方向に移動可能に案内され、係合ボス５６６，５６７にネジ５６９，５６９を螺合することにより、蓋部材５００に取り付けられている。また。係合部材５５１は、係合板５５２と受け部５６８の間にバネ状の第３の弾性部材５７０が介装され、当該第３の弾性部材５７０の弾性により、係合板５５２が係合方向に付勢され、回転軸４７２の係合面４７３に圧接し、回転軸４７２、回転体３９０、回転軸３９４を位置決めする。
蓋部材５００の下部左側には、前面５０９と後面５０８を連通するコイン排出口５７１が形成されている。ケース３０３の後面３２６の下部左側には、コインＣをコイン排出口５７１にガイドするガイド片５７２が形成されている。蓋部材５００の後面５０８の上部右側には、コインＣの厚み２枚分の厚みを有するリング部材（変更部材）５８０がネジ５８１により取り付けられている。このリング部材（変更部材）５８０は、前記回転体３９０の雌ネジ部（取付部）４２２にネジ５８１により取り付けることが可能である。また、蓋部材５００の左右両側には、取付アーム５８２，５８３が設けられている。
回転体３９０の回転軸３９４は、ケース３０３の軸受け孔３２０に回動可能に軸受けされ、先部３９９が軸受け孔３２０から突出している。図１８に示すように、回転軸３９４の先部３９９には、ハンドル６００が固定して取り付けられている。回転軸３９９の先部３９９には、取付穴３７５が形成されている。ハンドル６００は、略中心に固定軸６０１が形成され、固定軸６０１が回転軸３９４の取付穴３７５に回動不能に嵌合され、ネジ等により回転軸３９４に固定されている。
コイン選別装置３０１は、回転体３９０が装置本体３０２内に収納され、回転軸３９４がケース３０３の軸受け孔３２０に回動可能に軸受けされ、回転軸４７２が蓋部材５００の挿通孔５０１に回動可能に輔受けされている。
回転体３９０は、回転軸４７２に形成された係合面４７３に係合部材５５１の係合板５５２が第３の弾性部材５７０によって圧接され、位置決めされている。即ち、回転体３９０は、位置決め手段５５０によって、コイン収納部４８１の開口４４１と装置本体３０２のコイン投入口５０２が対向し、コイン投入口５０２から投入されたコインＣが直接コイン収納部４８１に収納される位置（初期位置）で位置決めされ、この位置で待機している。
第１の押圧部材５１５は、押圧突起５１８が透孔５０３を挿通してコイン収納部４８１内に突出している。又、第２の押圧部材５４１は、アーム部５４２の先端５４４が長孔５３１を挿通して装置本体３０２内に突出し、回転板３９０の後面、即ち案内部材４５０の後面４５１に圧接している。
図１９に示すように、コイン選別装置３０１は、コイン収納部４８１内にコインＣが収納されていない状態において、ハンドル６００を回転操作し、回転体３９０の初期位置から回転体３９０を一方向（Ｘ方向反時計方向）に回動すると、係止爪部材（第１の係止部材）３４１〜３４４の係合縁３４７がストッパー片４９０の係止面４９１を係止するので、これ以上回動させることができない。
また、コイン収納部４８１内にコインＣが収納されていない状態において、前記したように、回転体３９０を初期位置から一方向（Ｘ方向反時計方向）に回動すると、案内部材４５０の後面４５１に圧接している第２の押圧部材５４１の先端５４４が、板バネ５３９の弾性により、コイン収納部４８１内に突出し、案内部材４５０の右案内面４５６を係止するので、これ以上回動させることができない。
コイン投入口５０２から正規コインＣと同じ厚みではあるが、外径の小さな不正コインを適正枚数の４枚投入しコイン収納部４８１に収納し、回転体３９０を初期位置から一方向（Ｘ方向  反時計方向）に回動すると、第２の押圧部材５４１の先端５４４は、この４枚の不正コインによってコイン収納部４８１内に突出することがないので、案内部材４５０の右案内面４５６を係止することがなく、回転体３９０の回転が阻止されなくなる。
しかし、不正コインの外周縁が、正規コインＣよりも小さいため、係止爪部材（第１の係止部材）３４１〜３４４の摺接時に第１の弾性部材３５０の弾性に抗して反係止方向に移動させることができず、結局、係止爪部材（第１の係止部材）３４１〜３４４の係合縁３４７がストッパー片４９０の係止面４９１を係止するので、これ以上回動させることができない。１枚だけが不正コインであり、３枚が正規コインであったとしても、その不正コインに位置する係止爪部材（第１の係止部材）３４１〜３４４の一つが回動を阻止することができる。
コイン投入口５０２から正規コインＣと同じ外径ではあるが、厚みの小さな不正コインを適正枚数の４枚投入しコイン収納部４８１に収納した場合、この４枚の不正コインでは、第２の押圧部材５４１の先端５４４を、コイン収納部４８１内に突出させないようにすることができず、結局、案内部材４５０の右案内面４５６を係止するので、回転体３９０の回転が阻止される。
図２０に示すように、コイン投入口５０２から正規コインＣを４枚投入すると、正規コインＣ４枚がストッパーピン４０１とストッパーピン４０２に載った形でコイン収納部４８１内に収納される。即ち、コイン投入口５０２から投入されたコインＣは、閉じる位置Ｐ１にあるストッパーピン４０１，４０２によってコイン通路４８２に移動することが阻止されて、コイン収納部４８１に保持されている。コイン収納部４８１内の正規コイン４枚は、第１の押圧部材５１５の押圧突起５１８によってコインＣの厚み方向に押圧され、コイン収納部４８１内で位置決めされる。
図２１に示すように、ハンドル６００を回転操作し、回転体３９０を一方向（Ｘ方向  反時計方向）に回動すると、４枚の正規コインＣが係止爪部材（第１の係止部材）３４１〜３４４の係止突部３４７と摺接し、第１の弾性部材３５０の弾性に抗して、係止爪部材（第１の係止部材）３４１〜３４４を反係止方向に移動させるので、係止爪部材（第１の係止部材）３４１〜３４４の係合縁３４７がストッパー片４９０の係止面４９１を係止することがなく、回転体３９０の回動を阻止しない。また、第２の押圧部材５４１の先端５４４は、この４枚の正規コインＣによってコイン収納部４８１内に突出することがないので、案内部材４５０の右案内面４５６を係止することがなく、回転体３９０の回転を阻止しない。
図２２に示すように、回転体３９０が一方向（Ｘ方向  反時計方向）に略１２０°回動すると、回転体３９０のコイン収納部４８１の開口４４１が下方に傾き、４枚の正規コインＣが自重によって開口４４１からガイド片５７２・・を介してコイン排出口５７１へ落下し、コイン排出口５７１より排出される。
図２０に示すように、コイン投入口５０２から正規コインＣを４枚投入すると、正規コインＣ４枚がストッパーピン４０１とストッパーピン４０２に載った形でコイン収納部４８１内に収納されるが、外径の小さなコインを投入すると、閉じる位置Ｐ１にあるストッパーピン４０１と４０２の間を通ってコイン通路４８２に移動し、さらに開口４７５に落下し、傾斜面４７６に案内されて、コイン落下口４２８から、装置本体３０２のコイン返却口３２５を経て、コイン返却部３２２のコイン返却凹部３２３に返却される。即ち、正規コインＣより外径の小さいコインは、コイン収納部４８１に収納されことなく、コイン返却部３２２に返却される。
回転体３９０のストッパー片４９０は、係止爪部材（第１の係止部材）３４１〜３４４の係止突部３４７と係止爪部材（第２の係止部材）３６２の係止突部３６７に接触する。回転体３９０の逆転防止突起４３２とストッパー４３１は、係止爪部材（第１の係止部材）３４１〜３４４の係止突部３４７と接触することとがなく、係止爪部材（第２の係止部材）３６２の係止突部３６７に接触する。
ストッパー片４９０は、回転体３９０が一方向（Ｘ方向  反時計方向）に回動すると、係止面４９１が係止爪部材（第１の係止部材）３４１〜３４４の係止突部３４７に当接して回転が阻止されるが、係止爪部材（第２の係止部材）３６２の係止突部３６７には摺接し、第２の弾性部材３６３の弾性に抗して、係止爪部材（第２の係止部材）３６２を反係止方向に移動させるので、係止爪部材（第２の係止部材）３６２の係止突部３６７に係止されることがなく、回転体３９０の一方向（Ｘ方向  反時計方向）への回動が阻止されない。
回転体３９０が一方向（Ｘ方向  反時計方向）に回動すると、回転体３９０の逆転防止突起４３２・・が順番に係止爪部材（第２の係止部材）３６２の係止突部３６７と摺接し、第２の弾性部材３６３の弾性に抗して、係止爪部材（第２の係止部材）３６２を反係止方向に移動させるので、係止爪部材（第２の係止部材）３６２の係止突部３６７が逆転防止突起４３２・・を係止することがなく、回転体３９０の一方向（Ｘ方向  反時計方向）への回動を阻止しない。
ストッパー４３１は、逆転防止突起４３２・・と同様に、回転体３９０が一方向（Ｘ方向  反時計方向）に回動すると、係止爪部材（第２の係止部材）３６２の係止突部３６７と摺接し、第２の弾性部材３６３の弾性に抗して、係止爪部材（第２の係止部材）３６２を反係止方向に移動させるので、係止爪部材（第２の係止部材）３６２の係止突部３６７に係止されることがなく、回転体３９０の回動が阻止されない。
なお、回転体３９０の逆転防止突起４３２及びストッパー４３１は、回転体３９０が一方向（Ｘ方向  反時計方向）に回動して、係止爪部材（第２の係止部材）３６２の係止突部３６７を過ぎると、回転体３９０を他方向（Ｙ方向  時計方向）に回動させようとしても、係止爪部材（第２の係止部材）３６２の係止突部３６７に係止されるので、回転体３９０の他方向（Ｙ方向  時計方向）への回動は阻止される。
図２０に示すように、回転体３９０が一方向（Ｘ方向  反時計方向）に略３６０°回動すると、回転体３９０は、位置決め手段５５０によって、コイン収納部４８１の開口４４１がコイン投入口５０２と対向して、コイン投入口５０２から投入されたコインＣが直接コイン収納部４８１に収納される位置（初期位置）で位置決めされる。
次に正規コインＣの投入枚数を変更する。図１６に示す装置本体３０２からネジ５８１を外してリング部材（変更部材）５８０を離脱させる。図１８に示すように、基板３９１の上部に形成された雌ネジ部（取付部）４２２にリング部材（変更部材）５８０をネジ５８１により取り付ける。図２０に示すように、リング部材（変更部材）５８０は、基板３９１の外周縁から突出し、この突出端５８５とコイン収納部４８１内に収納された正規コインＣの外端縁が略一致するようになっている。リング部材（変更部材）５８０は、前記したように、正規コインＣ２枚分の厚みで形成されている。
コイン投入口５０２から正規コインＣを２枚投入すると、コイン収納部４８１内に正規コインＣ２枚が収納される。２枚の正規コインＣは、ストッパーピン４０１，４０２上に載り、コイン通路４８２に移動することが阻止されて、コイン収納部４８１に保持されている。
このとき第１の押圧片部材５１５の押圧突起５１８により２枚の正規コインＣは圧接され、コイン収納部４８１内で位置決めされる。図２１に示すように、ハンドル６００を回転操作し、回転体３９０を一方向（Ｘ方向  反時計方向）に回動すると、２枚の正規コインＣが係止爪部材（第１の係止部材）３４１、３４２の係止突部３４７と摺接し、リング部材（変更部材）５８０が係止爪部材（第１の係止部材）３４３、３４４の係止突部３４７と摺接する。このことにより、第１の弾性部材３５０の弾性に抗して、係止爪部材（第１の係止部材）３４１〜３４４を反係止方向に移動させるので、係止爪部材（第１の係止部材）３４１〜３４４の係合縁３４７がストッパー片４９０の係止面４９１を係止することがなく、回転体３９０の回動を阻止しない。後は、４枚収納時と同様に回転体３９０は回動する。
次にコインＣの返却について説明する。コイン投入口５０２からコインＣを投入すると、コイン収納部４８１内にコインＣが収納される。コインＣは、閉じる位置（仕切位置）Ｐ１にあるストッパーピン４０１，４０２上に載る。即ち、回転体３９０が装置本体３０２のコイン投入口５０２と開口４４１が対向する初期位置にあるとき、コイン投入口５０２から投入されたコインＣがストッパーピン４０１，４０２によってコイン通路４８２に移動することが阻止されて、コイン収納部４８１に保持されている。係る場合、投入されるコインＣは、正規コインでなくても良く、枚数も適正枚数でなくても構わない。
図２３に示すように、ハンドル６００を回転操作し、回転体３９０を他方向（Ｙ方向  時計方向）に約３０°回動させると、右側の保持アーム３９５がガイド３３０の右側の係合部材３３１に係合し、中心軸３９７を中心としてバネ（第４の弾性部材）４０７の弾性に抗して時計方向に回動して、開く位置（非仕切位置）Ｐ２に移動する。同様に、左側の保持アーム３９６がガイド３３０の左側の係合部材３３１に係合し、中心軸３９８を中心としてバネ（第４の弾性部材）４１７の弾性に抗して反時計方向に回動して、開く位置（非仕切位置）Ｐ２に移動する。
右側の保持アーム３９５が時計方向に回動して、開く位置（非仕切位置）Ｐ２に移動し、左側の保持アーム３９６が反時計方向に回動して、開く位置（非仕切位置）Ｐ２に移動すると、ストッパーピン４０１と４０２の間が開くことになり、ストッパーピン４０１と４０２に載っているコインＣが自重によりストッパーピン４０１と４０２の間を通ってコイン通路４８２に移動し、さらに開口４７５に落下し、傾斜面４７６に案内されて、コイン落下口４２８から、装置本体３０２のコイン返却口３２５を経て、コイン返却部３２２のコイン返却凹部３２３に返却される。
コイン収納部４８１内にコインＣが４枚収納されていると、ガイド突起４３８によって、最初に後側のコイン２枚がコイン通路４８２に落下し、残るコイン２枚がガイド突起４３８の傾斜している上面４３９によって１枚ずつ滑るようにコイン通路４８２に落下するので、コイン４枚が同時に落ちてコイン通路４８２を詰まらせることがない。
ハンドル６００を回転操作し、回転体３９０を他方向（Ｙ方向  時計方向）に約３０°回動させると、ストッパー４３１の係止面（第２の係止縁）４３０が係止爪部材（第２の係止部材）３６２の係止突部３６７に係止されるので、回転体３９０の他方向（Ｙ方向  時計方向）への回動は阻止される。
このように、係止爪部材（第２の係止部材）３６２は、回転体３９０を初期位置から他方向（Ｙ方向  時計方向）へ回転させてコイン収納部４８１内のコインＣをコイン通路４８２に落下させた後に、回転体３９０のストッパー４３１の第２の係止縁４３０を係止し、このことにより、回転体３９０の他方向（Ｙ方向  時計方向）への回転を阻止する。
図２０に示すように、回転体３９０を一方向（Ｘ方向  反時計方向）に回動して初期位置に復帰させると、回転体３９０は、位置決め手段５５０によって、コイン収納部４８１が略真上の位置、コイン投入口５０２から投入されたコインＣが直接コイン収納部４８１に収納される初期位置で位置決めされる。
［発明の効果］
本願発明に係るコイン選別装置は、正規コインをコイン投入口から適正枚数投入しない場合、ハンドルを操作して回転体を回転させようとしても、回転体の係止縁が複数の係止部材の内の一つに係止され、回転体の回転が阻止される。また、正規コインより小さい外径の不正コインを含む複数のコインをコイン投入口から投入して、コインを回転体のコイン収納部に収納した場合、ハンドルを操作して回転体を回転させようとしても、不正コインの外周縁によって複数の係止部材の内の一つを反係止方向に移動させることができず、結局、回転体の係止縁が不正コインの位置にある係止部材に係止され、回転体の回転が阻止される。正規コインをコイン投入口から適正枚数投入して、複数のコインを回転体のコイン収納部に収納した場合、ハンドルを操作して回転体を回転させると、複数の係止部材が、回転体の回転時に各正規コインの外周縁に摺接して反係止方向に移動させられ、複数の係止部材が回転体の係止縁を係止することがないので、回転体の回転が可能であり、コイン収納部の複数のコインをコイン排出口から排出することができる。回転体には、コイン収納部のコイン収納枚数を切り替える切替部材が回動可能に設けられている。コイン収納部は、回転体に形成された第１のコイン収納部と、切替部材に形成された第２のコイン収納部とからなる。切替部材は、回転体に対して一方向に回動すると、第２のコイン収納部が回転体の第１のコイン収納部と重なって、第２のコイン収納部と第１のコイン収納部でコイン収納部を構成し、回転体に対して他方向に回動すると、第２のコイン収納部が回転体の第１のコイン収納部から外れて、第１のコイン収納部でコイン収納部を構成するので、コイン収納部の収納枚数を切り替えることができる。このように、本願発明に係るコイン選別装置は、切替部材によって、コインの投入枚数を簡単に切り替えることができるという効果がある。
本願発明に係るコイン選別装置は、切替部材の第２のコイン収納部が回転体の第１のコイン収納部から外れて、回転体の第１のコイン収納部のみでコイン収納部を構成している時に、切替部材のガイド縁が回転体の回転時に係止部材と摺接して係止部材を反係止方向に移動させ、係止部材を回転体の係止縁に係止させないようにすることができるという効果がある。
本願発明に係るコイン選別装置は、正規コインがコイン収納部に適正枚数収納されていない場合又は正規コインと厚みの異なる不正コインがコイン収納部に収納されている場合、回転体の回転時に係合片が装置本体の一側と係合して回転体の回転を阻止し、正規コインがコイン収納部に適正枚数収納されている場合、コインが係合片を反係合方向に移動させ、回転体の回転時に係合片が装置本体の一側と係合せず回転体の回転を阻止しないようにすることができる。このように、本願発明に係るコイン選別装置は、コインの厚みも検出することができるという効果がある。
本願発明に係るコイン選別装置は、切替部材を回転体に対して一方向に回動させ、切替部材の第２のコイン収納部を回転体の第１のコイン収納部に重ねて、第２のコイン収納部と第１のコイン収納部でコイン収納部を構成した時に、係合凸部又は係合凹部と第１の係合凹部又は第１の係合凸部が係合して切替部材の位置決めをすることができ、切替部材を回転体に対して他方向に回動させ、切替部材の第２のコイン収納部を回転体の第１のコイン収納部から外して、第１のコイン収納部でコイン収納部を構成した時に、係合凸部又は係合凹部と第２の係合凹部又は第２の係合凸部が係合して切替部材の位置決めをすることができる。このように、本願発明に係るコイン選別装置は、切替部材の切り替えた位置を確実に保持することができるという効果がある。
また、本願発明に係るコイン選別装置は、回転体のコイン収納部に、コイン収納枚数を変更する変更部材を取り付ける取付部が形成されている。変更部材は、装置本体の一側に着脱可能に取り付けられている。変更部材を装置本体から離脱させ、コイン収納部の取付部に取り付けることにより、コイン収納部に収納されるコインの収納枚数を変更することができる。このように、本願発明に係るコイン選別装置は、変更部材によって、コインの投入枚数を簡単に切り替えることができるという効果がある。
本願発明に係るコイン選別装置は、コイン投入口から投入されたコインが初期位置で待機している回転体のコイン収納部に収納されるようになっている。コインが回転体のコイン収納部に収納されると、コイン収納部とコイン通路の間を仕切る仕切部材によってコイン通路への落下が阻止され、コイン収納部内に保持される。正規コインをコイン投入口から投入しない場合、又は正規コインより小さい外径の不正コインをコイン投入口から投入した場合、ハンドルを操作して回転体を初期位置から一方向に回転させようとしても、回転体の第１の係止縁が第１の係止部材に係止され、回転体の一方向への回転が阻止される。正規コインをコイン投入口から投入して、正規コインを回転体のコイン収納部に収納した場合、ハンドルを操作して回転体を初期位置から一方向に回転させると、第１の係止部材が、回転体の一方向の回転時に正規コインの外周縁に摺接して反係止方向に移動させられ、第１の係止部材が回転体の第１の係止縁を係止することがないので、回転体の一方向への回転が可能であり、コイン収納部内のコインが仕切部材に案内されてコイン排出口から排出することができる。コインが回転体のコイン収納部に収納された状態で、ハンドルを操作して回転体を初期位置から他方向に回転させると、コインが仕切部材から外れ、コイン通路に落下し、コイン返却口からコインが返却される。
また本願発明に係るコイン選別装置は、コイン投入口から投入されたコインが初期位置で待機している回転体のコイン収納部に収納されるようになっている。コインが回転体のコイン収納部に収納されると、第４の弾性部材によって仕切位置に付勢された、コイン収納部とコイン通路の間を仕切る仕切部材によってコイン通路への落下が阻止され、コイン収納部内に保持される。正規コインをコイン投入口から投入して、ハンドルを操作して回転体を初期位置から一方向に回転させると、第１の係止部材が、回転体の一方向の回転時に正規コインの外周縁に摺接して反係止方向に移動させられ、コイン収納部内のコインがコイン排出口から排出することができる。コインが回転体のコイン収納部に収納された状態で、ハンドルを操作して回転体を初期位置から他方向に回転させると、仕切位置の仕切部材が係合部材と係合して、第４の弾性部材に抗して、非仕切位置に移動するので、コインが仕切部材から外れ、コイン通路に落下し、コイン返却口からコインが返却される。
さらにまた本願発明に係るコイン選別装置は、コイン投入口から投入されたコインが初期位置で待機している回転体のコイン収納部に収納されるようになっている。コインが回転体のコイン収納部に収納されると、第４の弾性部材によって閉じる位置に付勢された、コイン収納部とコイン通路の間に位置する一対のコインストッパーによってコイン通路への落下が阻止され、コイン収納部内に保持される。正規コインをコイン投入口から投入して、ハンドルを操作して回転体を初期位置から一方向に回転させると、第１の係止部材が、回転体の一方向の回転時に正規コインの外周縁に摺接して反係止方向に移動させられ、コイン収納部内のコインがコイン排出口から排出することができる。コインが回転体のコイン収納部に収納された状態で、ハンドルを操作して回転体を初期位置から他方向に回転させると、閉じる位置の一対のコインストッパーが係合部材と係合して、第４の弾性部材に抗して、開く位置に移動するので、コインが一対のコインストッパーから外れ、コイン通路に落下し、コイン返却口からコインが返却される。
このように、本願発明に係るコイン選別装置は、回転体を一方向に回転させると物品を取りだすことができ、回転体を他方向に回転させるとコインを返却させることができ、返却ボタン等の複雑な機構を必要とせず、安価に製造することができるという効果がある。
本願発明に係るコイン選別装置は、第２の係止部材が、回転体を初期位置から他方向へ回転させてコイン収納部内のコインをコイン通路に落下させた後に、回転体の第２の係止縁を係止して回転体の他方向への回転を阻止するので、過剰な逆回転を防止することができるという効果がある。
本願発明に係るコイン選別装置は、位置決め手段が回転体を初期位置で位置決めすることができるので、回転体が不用意に回転せず、常に初期位置で待機させることができるという効果がある。
［符号の説明］
Ｃ・・コイン、Ｐ１・・閉じる位置（仕切位置）、Ｐ２・・開く位置（非仕切位置）、１・・コイン選別装置、２・・装置本体、３・・ケース、３ａ・・後部開放部、３ｂ・・下部開放部、５・・固定手段、６・・一側、１１・・前壁、１２・・上壁、１３・・左壁、１４・・右壁、１５・・内面、１６・・凹部、１７・・底面、１９・・側面、２０・・軸受け孔、２１・・凹溝、２５・・第１の案内壁、２６・・第２の案内壁、２７・・右下端、２８・・左端、２９・・収納室、３０・・上端、３１・・下端、３３・・切り欠き、３５・・コイン投入口、３６・・コイン排出口、３８・・切り欠き部、３９・・係合突起、４０・・上部凹み部、４１・・係止爪部材（第１の係止部材）、４２・・係止爪部材（第１の係止部材）、４３・・係止爪部材（第１の係止部材）、４４・・係止爪部材（第１の係止部材）、４５・・軸部、４６・・係合縁、４７・・係止突部、５０・・第１の弾性部材、５１・・弾性片、５２・・弾性片、５３・・弾性片、５４・・弾性片、５５・・下部、５７・・軸受け部、５９・・差し込み溝、６０・・切り欠き部、６１・・下部凹み部、６２・・係止爪部材（第２の係止部材）、６３・・第２の弾性部材、６５・・軸部、６６・・係合縁、６７・・係止突部、６８・・上部、６９・・下部、７０・・軸受け部、７１・・差し込み溝、７２・・係合突起、７５・・第１のガイド溝、７６・・第２のガイド溝、７９・・ピン、８１・・第１の排出口（コイン排出口）、８２・・第２の排出口（コイン返却口）、８５・・開口、９０・・回転体、９１・・基板、９１ａ・・表面、９１ｂ・・裏面、９２・・右案内部材、９３・・左案内部材、９４・・回転軸、９５・・突片、９６・・切り溝、９７・・上端、９８・・先部、９９・・切り欠き、１００・・係合片、１０１・・枢軸、１０２・・軸受け凹部、１０３・・固定板、１０４・・裏面、１０５・・ガイド筒、１０６・・ガイド軸、１０７・・弾性部材、１０９・・上端、１１０・・右上部ガイド面、１１１・・右湾曲面、１１２・・右下部ガイド面、１１３・・右外周面、１１５・・ストッパー片、１１６・・第１の係止縁、１１７・・第２の係止縁、１２０・・左上部ガイド面、１２１・・左湾曲面、１２２・・左下部ガイド面、１２３・・左外周面、１２５・・切り欠き、１２６・・係合片、１２７・・可撓片、１２８・・係合凸部、１３０・・係合段部、１３１・・上部、１３２・・下部、１３５・・コイン収納部、１３６・・一端（上端）、１３７・・他端（下端）、１３８・・一端（上端）、１３９・・他端（下端）、１４０・・第１のコイン収納部、１４１・・第１のコイン通路、１４２・・第２のコイン通路、１４３・・コイン通路、１４５・・中心軸、１４６・・取付板、１４７・・取付片、１４７ａ・・底壁、１４７ｂ・・直壁、１４８・・ガイド片、１４９・・固定手段、１５０・・切替部材、１５１・・ガイドリング、１５２・・外周面、１５３・・裏面、１５４・・第２のコイン収納部、１５５・・右ガイド部材、１５６・・右上部ガイド面、１５７・・右湾曲面、１５８・・右下部ガイド面、１５９・・右外周面、１６０・・左ガイド部材、１６１・・左上部ガイド面、１６２・・左湾曲面、１６３・・左下部ガイド面、１６５・・左外周面、１６６・・第１の係合凹部、１６７・・第２の係合凹部、１６８・・ガイド縁、１６９・・外径、１７０・・蓋部材、１７１・・凹部、１７２・・側面、１７３・・挿通孔、１７５・・仕切部材、１８０・・切り欠き、１８１・・長孔、１８２・・右軸受け突起、１８３・・左軸受け突起、１８５・・右軸受け凹部、１８６・・左軸受け凹部、１８７・・ばね受け片、１９０・・押圧部材、１９１・・揺動部材、１９２・・第１の押圧片部材、１９３・・第２の押圧片部材、１９５・・揺動板、１９６・・揺動軸、１９７・・透孔、２０１・・支軸、２０２・・支軸、２０３・・軸受板、２０５・・軸受け部、２０６・・軸受け部、２１０・・軸受け片、２１１・・押圧片、２１２・・軸受け部、２１３・・軸受け部、２１４・・バネ部材、２１５・・先端、２１６・・押圧片、２１７・・支軸、２１８・・先端、２１９・・弾性片、２２０・・一部、２２１・・ネジ、２２２・・ロック片、２２５・・回転軸、２２６・・ネジ、２２８・・被係合部材、２３０・・被係合部、２３１・・係合部材、２３２・・上部、２３３・・ネジ、２３５・・係合縁部、２３６・・下部、２３７・・フック、２４０・・位置決め手段、２４１・・第３の弾性部材、２４２・・一端、２４３・・他端、２４５・・ネジ、２５０・・ハンドル、２５１・・固定軸、２５２・・取付穴、２５３・・ネジ、３０１・・コイン選別装置、３０２・・装置本体、３０３・・ケース、３０４・・後部開放部、３０５・・固定手段、３１１・・前壁、３１２・・上壁、３１３・・左壁、３１４・・右壁、３１５・・前面、３１６・・凸起帯、３１７・・凹部、３１８・・下壁、３２０・・軸受け孔、３２１・・凹部、３２２・・コイン返却部、３２３・・コイン返却凹部、３２５・・コイン返却口、３２６・・後面、３２７・・案内壁、３２８・・右端、３２９・・左端、３３０・・ガイド、３３１・・係合部材、３３２・・切り欠き部、３３３・・第１の取付部、３３６・・ガイド部材、３３６・・固定手段、３３９・・係合突起、３４１・・係止爪部材（第１の係止部材）、３４２・・係止爪部材（第１の係止部材）、３４３・・係止爪部材（第１の係止部材）、３４４・・係止爪部材（第１の係止部材）、３４５・・軸部、３４６・・係合縁、３４７・・係止突部、３５０・・第１の弾性部材、３５１・・弾性片、３５２・・弾性片、３５３・・弾性片、３５４・・弾性片、３５５・・下部、３５７・・軸受け部、３５９・・差し込み凹部、３６０・・切り欠き部、３６１・・第２の取付部、３６２・・係止爪部材（第２の係止部材）、３６３・・第２の弾性部材、３６５・・軸部、３６６・・係合縁、３６７・・係止突部、３６８・・上部、３６９・・下部、３７０・・軸受け部、３７１・・差し込み凹部、３７２・・上縁、３７５・・取付穴、３９０・・回転体、３９１・・基板、３９２・・・後面、３９３・・前面、３９４・・回転軸、３９５・・保持アーム（仕切部材，コインストッパー）、３９６・・保持アーム（仕切部材，コインストッパー）、３９７・・中心軸、３９８・・中心軸、３９９・・先部、４０１・・ストッパーピン、４０２・・ストッパーピン、４０３・・中心孔、４０５・・長孔、４０６・・バネ受け部、４０７・・バネ（第４の弾性部材）、４０８・・一方、４０９・・他端、４１１・・内側縁、４１３・・中心孔、４１５・・長孔、４１６・・バネ受け部、４１７・・バネ（第４の弾性部材）、４１８・・一方、４１９・・他端、４２１・・内側縁、４２２・・雌ネジ部（取付部）、４２５・・位置決め孔、４２６・・位置決め孔、４２８・・コイン落下口、４３０・・係止面（第２の係止縁）、４３１・・ストッパー、４３２・・逆転防止突起、４３４・・上部アーム、４３５・・下部アーム、４３６・・上部アーム、４３７・・下部アーム、４３８・・ガイド突起、４３９・・上面、４４１・・開口、４４２・・一端、４４３・・他端、４４５・・一端、４４６・・他端４５０・・案内部材、４５１・・後面、４５２・・前面、４５３・・切り欠き部、４５５・・左案内面、４５６・・右案内面、４５７・・凹部、４５８・・凹部、４６１・・左湾曲面、４６２・・右湾曲面、４６３・・嵌合片、４６４・・脚片、４６５・・中間案内面、４６７・・嵌合片、４６９・・脚片、４７０・・中間案内面、４７２・・回転軸、４７３・・係合面（被係合部）、４７５・・開口、４７６・・傾斜面、４７９・・固定手段、４８１・・コイン収納部、４８２・・コイン通路、４９０・・ストッパー片、４９１・・係止面（第１の係止縁）、５００・・蓋部材、５０１・・挿通孔、５０２・・コイン投入口、５０３・・透孔、５０５・・軸受けピン、５０６・・軸受けピン、５０７・・軸受け部、５０８・・後面、５０９・・前面、５１０・・ボス、５１１・・雌ネジ部、５１５・・第１の押圧部材、５１６・・アーム部、５１７・・支軸、５１８・・押圧突起、５１９・・被押圧凸部、５２１・・押さえ部材、５２２・・切り欠き、５２３・・板バネ、５２５・・規制突起、５２６・・ネジ通し孔、５２７・・ネジ通し孔、５２９・・ネジ、５３１・・長孔、５３２・・凹部、５３３・・雌ネジ部、５３４・・ネジ通し孔、５３５・・凸段部、５３６・・軸受けピン、５３７・・軸受け部、５３９・・板バネ、５４１・・第２の押圧部材、５４２・・アーム部、５４３・・支軸、５４４・・先端、５５０・・位置決め手段、５５１・・係合部材、５５２・・係合板、５５３・・上ガイド板、５５５・・下ガイド板、５５６・・上摺動板、５５７・・下摺動板、５６１・・長孔、５６２・・長孔、５６４・・上案内板、５６５・・下案内板、５６６・・係合ボス、５６７・・係合ボス、５６８・・受け部、５６９・・ネジ、５７０・・第３の弾性部材、５７１・・コイン排出口、５７２・・ガイド片、５８０・・リング部材（変更部材）、５８１・・ネジ、５８２・・取付アーム、５８３・・取付アーム、５８５・・突出端、６００・・ハンドル、６０１・・固定軸
【産業上の利用可能性】  本願発明は、正規コインが投入されるとハンドル操作でき、不正コインが投入された場合若しくは正規コインが投入されない場合はハンドル操作することができないコイン選別装置であって、カプセル払い出し機等の物品取出機に利用可能である。
【図１】
2006038311.tif 000002
【図２】
2006038311.tif 000003
【図３】
2006038311.tif 000004
【図４】
2006038311.tif 000005
【図５】
2006038311.tif 000006
【図６】
2006038311.tif 000007
【図７】
2006038311.tif 000008
【図８】
2006038311.tif 000009
【図９】
2006038311.tif 000010
【図１０】
2006038311.tif 000011
【図１１】
2006038311.tif 000012
【図１２】
2006038311.tif 000013
【図１３】
2006038311.tif 000014
【図１４】
2006038311.tif 000015
【図１５】
2006038311.tif 000016
【図１６】
2006038311.tif 000017
【図１７】
2006038311.tif 000018
【図１８】
2006038311.tif 000019
【図１９】
2006038311.tif 000020
【図２０】
2006038311.tif 000021
【図２１】
2006038311.tif 000022
【図２２】
2006038311.tif 000023
【図２３】
2006038311.tif 000024
【国際調査報告】
2006038311.tif 000025
2006038311.tif 000026
2006038311.tif 000027
2006038311.tif 000028
2006038311.tif 000029